(57)【要約】【課題】遊技ホール等において信頼性の高い遊技機管理を実施する。【解決手段】遊技ホールＨにおいて、スキャナ装置６０１は、パチンコ機１０のラベルやシール等に近接することにより、非接触の状態で各種ＩＤ情報の読み取る。管理コンピュータ６０２は、パチンコ機１０の管理プログラムを有する電子演算装置であり、スキャナ装置６０１に接続されることで各種ＩＤ情報を読み込む。また、各メーカＭ１，Ｍ２，Ｍ３…には管理サーバ装置としてのデータサーバ７０１が設けられており、管理コンピュータ６０２とデータサーバ７０１との間で双方向の通信が可能となっている。データサーバ７０１は、管理コンピュータ６０２から受信した各種ＩＤ情報に基づいてパチンコ機１０の認証を実施する。【選択図】      図２４
2007330276.tif 000002
【特許請求の範囲】
【請求項１】
遊技ホール等に設置され遊技に際して各種制御を実施する制御装置を搭載した遊技機を管理対象とし、前記制御装置に、当該制御装置を搭載した遊技機又はその制御装置ごとに個別に付与された識別情報を有する札片を取り付けておくとともに、前記札片の識別情報を情報読み取り装置により読み取り可能とした遊技機の管理システムであって、
前記遊技ホール等への遊技機の出荷前に遊技機ごと又は制御装置ごとに前記識別情報を付与してその識別情報の管理データを作成しておき、前記遊技機の出荷後において、前記情報読み取り装置により読み取った前記札片の識別情報と、前記識別情報の管理データとに基づいて前記遊技機の管理を実施することを特徴とする遊技機の管理システム。
【発明の詳細な説明】
【技術分野】
【０００１】
本発明は、遊技機の管理システムに関するものである。
【背景技術】
【０００２】
遊技機の一種として、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお近年においては、ＣＰＵやＲＯＭが１チップ化されて制御基板に実装されたものもある。
【０００３】
この種の遊技機においては、不正な利益を得ることを目的として、制御基板を不正に取り外して当該基板内のＲＯＭ（ＣＰＵやＲＯＭが１チップ化されている場合は当該チップ）を交換し遊技内容を変更したり、リード線等により外部から不正な電気信号を制御基板に入力させたりする等、制御基板に対しての不正行為が数多く報告されており、従来より各種の不正対策が検討されている。例えば、基板ボックスを透明ケース体にて構成して制御基板の状態を外部から容易に視認できるようにする、基板ボックスに封印構造（いわゆる、カシメ構造）を持たせて基板ボックスの開封時には破壊等による開封履歴を残すようにする、又は、基板ボックスを構成する上下一対のケース体の接合部に再貼付不可能であり剥がすと痕跡が残る封印シールを貼付する等の不正対策が採用されている（例えば特許文献１参照）。
【０００４】
しかしながら、上記のような不正対策が施されていても、未だに不正行為が行われることが考えられ、前記封印構造や封印シール等を採用した制御基板装置であっても、不正の痕跡が残らないようにして巧妙に不正を施すといったことが考えられる。封印シールについては、例えば巧妙に封印シールを一旦剥がし、その後再び基板ボックスに貼り直して元の状態に戻すようにする不正が考えられる。こうした不正行為が行われる場合、遊技機を設置する遊技ホール等において多大な不利益が生じるおそれがあった。
【特許文献１】特開２００３−１８０９１７号公報
【発明の開示】
【発明が解決しようとする課題】
【０００５】
本発明は、遊技ホール等において信頼性の高い遊技機管理を実施することができる遊技機の管理システムを提供することを主たる目的とする。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．遊技ホール等に設置され遊技に際して各種制御を実施する制御装置（主制御装置２７１）を搭載した遊技機（パチンコ機１０）を管理対象とし、前記制御装置に、当該制御装置を搭載した遊技機又はその制御装置ごとに個別に付与された識別情報を有する札片（ＩＣタグ３３３や識別シール３４５，３４６等）を取り付けておくとともに、前記札片の識別情報を情報読み取り装置（スキャナ装置６０１）により読み取り可能とした遊技機の管理システムであって、
前記遊技ホール等への遊技機の出荷前に遊技機ごと又は制御装置ごとに前記識別情報を付与してその識別情報の管理データを作成しておき、前記遊技機の出荷後において、前記情報読み取り装置により読み取った前記札片の識別情報と、前記識別情報の管理データとに基づいて前記遊技機の管理を実施することを特徴とする遊技機の管理システム。
【０００８】
手段１の管理システムでは、遊技ホール等への遊技機の出荷前において、遊技機又は制御装置が真正品であることを表す識別情報の付与、並びに接着等による札片の取り付けが行われるとともに、その識別情報に関して管理データが作成される。この場合、例えば、遊技機の製造メーカにおいて識別情報の付与、札片の取り付け、管理データの作成が行われる。そして、遊技機の出荷後には、遊技ホール等において情報読み取り装置により札片の識別情報が読み取られるとともに、その読み取り情報と識別情報の管理データとに基づいて遊技機の管理が実施される。なおここで、「遊技機の管理」には、遊技機そのものが真正品であることを管理すること以外に、当該遊技機の構成要素である制御装置類が真正品であることを管理することも含む。
【０００９】
要するに、遊技機の出荷後（ホール納品後）を考えると、その搬送途中や、遊技ホール等の非営業時間帯（夜間、休日など）において遊技機に対して制御装置を不正品に交換するなどの不正行為が行われる可能性がある。この場合、近年の不正行為の高度化に伴い、外観上は何ら変化のない状態で不正行為が行われる（真正品同様、札片も取り付けられた状態とされることが考えられる）。この点上記システムによれば、出荷前に作成された識別情報の管理データとの比較により真正品の判定が可能となる。したがって、外観上は何ら変化のない状態であっても、真正品か不正品かの判定を正しく行うことができる。その結果、遊技ホール等において信頼性の高い遊技機管理を実施することができる。
【００１０】
手段２．前記遊技機の出荷先である遊技ホール等以外で前記管理データを保管するデータ保管機関（製造メーカ、遊技機管理組合等）を定める一方、前記データ保管機関と前記遊技ホール等との間に双方向で通信可能な通信手段を設け、
前記遊技ホール等において前記情報読み取り装置により読み取った前記札片の識別情報を、前記通信手段を通じてデータ保管機関に送信するともに、当該データ保管機関において前記札片の識別情報と前記管理データとを照合して認証を行いその認証結果を前記遊技ホール等に返信することを特徴とする手段１に記載の遊技機の管理システム。
【００１１】
手段２によれば、遊技ホール等とデータ保管機関との間における識別情報のやり取りによって識別情報の照合及び認証が行われる。この場合、札片の識別情報の読み取りは遊技ホール等で適宜行われる一方、識別情報の照合及び認証はデータ保管機関に委託されるため、識別情報の照合及び認証自体を不正に行わせることが抑止できる。また、遊技機の出荷先である遊技ホール等以外で管理データが保管されるため、管理データ自体に不正が及ぶ懸念が払拭される。したがって、遊技機管理の信頼性を高めることができる。
【００１２】
なお、製造メーカ又は遊技機管理組合を「データ保管機関」とすることが考えられる。遊技機管理組合は、複数の製造メーカにより構成される組合組織である。遊技機管理組合をデータ保管機関として定める場合、複数の製造メーカの管理データが統括的に保管されると良い。この場合、遊技ホール等で読み取られた識別情報の送信先が共通となり、システム構成の簡素化が可能となる。
【００１３】
手段３．前記遊技ホール等から前記データ保管機関に前記識別情報を送信する際、製造メーカが同一である遊技機ごとに、又は同一製造メーカごとにメーカ判別データを付加した状態で前記識別情報を送信することを特徴とする手段２に記載の遊技機の管理システム。
【００１４】
手段３によれば、同一の製造メーカ単位で識別情報の送信が行われるため、製造メーカごとに遊技機管理を行おうとする場合に好都合なものとなる。
【００１５】
手段４．前記識別情報は製造メーカを特定するメーカ判別情報（第１識別部）を含み、前記遊技ホール等から前記データ保管機関に前記識別情報を送信する場合、前記遊技ホール等の管理装置（管理コンピュータ６０２等）は、前記メーカ判別情報により同一製造メーカの遊技機ごとに分類した状態で前記識別情報を送信することを特徴とする手段２に記載の遊技機の管理システム。
【００１６】
手段４によれば、遊技ホール等の管理装置においては、識別情報に含まれたメーカ判別情報によりその識別情報が付された遊技機の製造メーカを特定する。そして、同一製造メーカの遊技機ごとに分類した状態で識別情報の送信が行われるため、製造メーカごとに遊技機管理を行おうとする場合に好都合なものとなる。
【００１７】
手段５．前記データ保管機関は、前記札片の識別情報と前記管理データとを照合した結果、それらが不整合である場合に、前記遊技ホール等に対して再度の情報読み取りを要求することを特徴とする手段２乃至４のいずれかに記載の遊技機の管理システム。
【００１８】
遊技ホール等では、管理者等により情報読み取り作業が行われ、その際、真正品であるにもかかわらず操作ミス等に起因して誤って不正品であると判定される可能性がある。この点手段５によれば、データ不整合（認証ＮＧ）である場合に、遊技ホール等に対して再度の情報読み取りが要求される。したがって、仮に情報読み取り時の操作ミス等に起因して認証ＮＧとなった場合において、再度の情報読み取りにより、正しい認証結果が得られるようになる。なお、データ不整合（認証ＮＧ）が所定回数繰り返された場合には、以降、再度の情報読み取りを要求しないようにすると良い。
【００１９】
手段６．前記データ保管機関は、前記遊技ホール等から受信した前記札片の識別情報、及び当該識別情報による認証結果を累積的に記憶保持することを特徴とする手段２乃至５のいずれかに記載の遊技機の管理システム。
【００２０】
手段６によれば、データ保管機関において、認証の過去データ（認証履歴）が累積的に記憶保持されるため、遊技機の統計的管理が可能となる。なお、認証の過去データ（認証履歴）を参照して遊技機の認証処理を行う構成とすれば、遊技機管理の信頼性をより一層向上させることができる。
【００２１】
手段７．前記データ保管機関は、前記遊技機の出荷前に作成される前記管理データを初期登録データとして保管するとともに、前記制御装置を単体で出荷する場合にその出荷前に交換登録データを作成して当該交換登録データを保管することを特徴とする手段２乃至５のいずれかに記載の遊技機の管理システム。
【００２２】
遊技機においては、故障などに伴い制御装置の交換が行われる場合があり、その制御装置の交換に伴い、出荷前の管理データとの不整合が生じることが考えられる。この点手段７によれば、初期管理データだけでなく交換登録データが保管されるため、上記のような不整合が生じることはない。
【００２３】
手段８．前記データ保管機関は、前記遊技機の納品時の前記認証に際しては前記初期登録データに基づく第１認証（新台入替モード用認証処理）を行い、前記制御装置の交換が行われる場合における当該制御装置の納品時の前記認証に際しては前記交換登録データに基づく第２認証（基板替えモード用認証処理）を行うことを特徴とする手段７に記載の遊技機の管理システム。
【００２４】
手段８によれば、遊技機の出荷時だけでなく制御装置の単体の交換時においても識別情報の認証が行われる。これにより、制御装置の出荷後においてその搬送途中や、遊技ホール等の非営業時間帯において制御装置が不正品に交換されたとしても、それを把握することができる。
【００２５】
手段９．前記データ保管機関は、前記第２認証を行う場合に、前記交換登録データにより前記初期登録データを更新することで前記管理データを更新登録することを特徴とする手段８に記載の遊技機の管理システム。
【００２６】
手段９によれば、制御装置の交換後には交換登録データにより初期登録データを更新することで管理データが更新登録されるため、その後の認証情報の管理を初期登録データと交換登録データとで別々に行う必要はなく、かかる管理を管理データとして一括して行うことが可能となる。よって、初期登録データと交換登録データとをそれぞれ作成するようにした構成において、データの管理が煩雑となることが抑制される。
【００２７】
手段１０．前記データ保管機関は、前記交換履歴データにより前記初期登録データを更新する場合、前記初期登録データにおける更新前の更新前データを保管することを特徴とする手段９に記載の遊技機の管理システム。
【００２８】
手段１０によれば、更新前データが保管されるため、交換前の制御装置等が中古品として流通したとしても、更新前データと照合することでその出所が特定される。中古品においても不正品が存在するおそれがあるが、更新前データと照合することで真正品か不正品かの判定を正しく行うことができる。
【００２９】
手段１１．前記データ保管機関から前記遊技ホール等に対して管理リクエスト信号を送信する一方、前記遊技ホール等において前記管理リクエスト信号に応じて前記札片の識別情報の読み取り及び該読み取った識別情報の返信を行わせることを特徴とする手段２乃至１０のいずれかに記載の遊技機の管理システム。
【００３０】
手段１１によれば、データ保管機関から遊技ホール等に対して送信される管理リクエスト信号をトリガとして、札片の識別情報の読み取りが行われ、さらにデータ保管機関への識別情報の返信に伴いデータ照合や認証等が行われる。この場合、遊技ホール等の外部からの管理操作が可能となる。したがって、よりシビアな遊技機管理が実現できる。
【００３１】
手段１２．前記情報読み取り装置は前記遊技ホール等に設置された各遊技機の設置箇所情報を登録する情報登録手段（操作部６０１ａ）を備え、読み取った識別情報はその遊技機の設置箇所情報と対応付けられることを特徴とする手段２乃至１１のいずれかに記載の遊技機の管理システム。
【００３２】
手段１２によれば、設置箇所情報を参照することで、読み取った識別情報がどの遊技機のものであるかの特定を正しく行うことができる。
【００３３】
手段１３．前記データ保管機関は、前記管理データを前記設置箇所情報と対応づけて作成する、又は前記管理データの作成後に前記設置箇所情報を反映させることを特徴とする手段１２に記載の遊技機の管理システム。
【００３４】
手段１３によれば、設置箇所情報を参照することで、読み取った識別情報に対応した管理データの特定が正しく行われる。よって、読み取った識別情報と管理データとの照合を正しく行うことができる。
【００３５】
手段１４．前記遊技機ごとに前記札片を複数取り付け、その複数の札片ごとの識別情報をすべて対応づけて前記管理データを作成しておくとともに、前記遊技機の出荷後において、前記情報読み取り装置により前記複数の札片の識別情報を読み取って前記遊技機の管理を実施する構成とし、
さらに、前記遊技ホール等では前記データ保管機関に前記識別情報を送信する場合、同一遊技機ごとに分類した状態で前記識別情報を送信することを特徴とする手段２乃至１３のいずれかに記載の遊技機の管理システム。
【００３６】
手段１４によれば、複数の札片の識別情報によって遊技機の管理が行われるため、その管理の信頼性を高めることができる。つまり、遊技機ごとに、札片並びに識別情報が複数存在する場合、真正品であると偽ろうとしてもそれが困難なものとなる。したがって、遊技機が真正品であることの信憑性が高められる。
【００３７】
また、遊技ホール等からデータ保管機関に識別情報が送信される場合、同一遊技機ごとに分類された状態で識別情報が送信され、さらに管理データは複数の札片ごとに識別情報がすべて対応づけて作成されている。よって、遊技機単位で識別情報と管理データとの照合が行われ、遊技機ごとに識別情報が複数設定された構成において認証を円滑に行うことができる。
【００３８】
手段１５．前記遊技機ごとに前記札片を複数取り付け、その複数の札片ごとの識別情報をすべて対応付けて前記管理データを作成しておくとともに、前記遊技機の出荷後において、前記情報読み取り装置により前記複数の札片の識別情報を読み取って前記遊技機の管理を実施することを特徴とする手段１乃至１３のいずれかに記載の遊技機の管理システム。
【００３９】
手段１５によれば、複数の札片の識別情報によって遊技機の管理が行われるため、その管理の信頼性を高めることができる。つまり、遊技機ごとに、札片並びに識別情報が複数存在する場合、真正品であると偽ろうとしてもそれが困難なものとなる。したがって、遊技機が真正品であることの信憑性が高められる。
【００４０】
手段１６．前記複数の札片において、各札片ごとに付与した識別情報の情報形態が異なるものを含むことを特徴とする手段１４又は１５に記載の遊技機の管理システム。
【００４１】
手段１６によれば、各札片において、識別情報の情報形態が異なったものを含ませることにより、札片の偽造を困難なものとすることができる。
【００４２】
手段１７．前記複数の札片として、少なくとも前記遊技機の個別の識別情報が付与された札片（識別シール３４６）と、前記制御装置の個別の識別情報が付与された札片（ＩＣタグ３３３、識別シール３４５）とを含むことを特徴とする手段１４乃至１６のいずれかに記載の遊技機の管理システム。
【００４３】
手段１７によれば、遊技機と制御装置とが対応付けられて遊技機の管理を行うことができる。したがって、制御装置のみが不正品に交換されるような不正行為に好適に対処できる。
【００４４】
手段１８．前記複数の札片の識別情報を前記情報読み取り装置を用いて読み取る際、その読み取り順序を表示手段又は音声手段によりユーザに通知することを特徴とする手段１４乃至１７のいずれかに記載の遊技機の管理システム。
【００４５】
複数の札片が設けられ、その各札片の識別情報を情報読み取り装置により読み取る場合、読み取りの抜けや重複が生じることが考えられる。この点、手段１８によれば、読み取り順序が表示手段又は音声手段によりユーザに通知されるため、読み取りの抜けや重複等を抑制することができる。これにより、正規の管理作業を容易に実現できる。
【００４６】
手段１９．前記遊技ホール等における遊技機の納品後に前記制御装置の交換が行われた場合に遊技ホール等の管理装置（管理コンピュータ６０２等）にその交換履歴を記憶保持しておく一方、前記札片の識別情報を読み取って前記管理データと照合する際において、前記交換履歴の有無を確認するとともに、交換履歴が存在していればその交換履歴データを反映して前記識別情報の照合を行うことを特徴とする手段１乃至１８のいずれかに記載の遊技機の管理システム。
【００４７】
遊技機においては、故障などに伴い制御装置の交換が行われる場合あり、その制御装置の交換に伴い、出荷前の管理データとの不整合が生じることが考えられる。この点手段１９によれば、交換履歴の有無を確認するとともに、交換履歴が存在していればその交換履歴データを反映して前記識別情報の照合を行うため、制御装置の正規な交換に伴い管理データの不整合が生じてもそれに好適に対処できる。この場合、制御装置が正規に交換されたことが反映されず、管理データとの不整合により不正品であると判定されることが回避できる。
【００４８】
手段２０．前記遊技機は、所定の入賞に伴い当選状態となった場合に所定の払出を行うものであって、前記制御装置は、当たり抽選機能と払出管理機能とを有することを特徴とする手段１乃至１９のいずれかに記載の遊技機の管理システム。
【００４９】
制御装置が当たり抽選機能や払出管理機能を有する場合、その制御装置を対象にして不正行為が行われると考えられる。かかる場合において、上記のように遊技機の管理が適正に行われれば、仮に不正行為が行われたとしてもその不正行為を適正に見つけることが可能となる。
【００５０】
手段２１．前記札片として、前記識別情報を記憶保持するＩＣチップ（ＩＣチップ３３３ａ）と、その識別情報を発信するアンテナ部（アンテナ部３３３ｂ）とを備えた電子チップタグ（ＩＣタグ３３３）を用いたことを特徴とする手段１乃至２０のいずれかに記載の遊技機の管理システム。
【００５１】
手段２１によれば、電子チップタグにおいて、アンテナ部によって識別情報の送信が可能となっている。この場合、情報読み取り装置によって、非接触で識別情報の読み取りが可能となる。
【００５２】
手段２２．前記電子チップタグのＩＣチップは、メモリ領域としてデータ書き替え不可な不揮発性メモリ領域（ＲＯＭ）を有し、そのメモリ領域に前記識別情報を記憶保持させた手段２１に記載の遊技機の管理システム。
【００５３】
手段２２によれば、ＩＣチップにおいてデータ書き換え不可のメモリ領域に識別情報が記憶保持されるため、識別情報が不正に改ざんされる等の不都合が抑制できる。
【００５４】
手段２３．一方の面に粘着層（粘着層３３２）を有するベースシート（ベースシート３３１）の粘着層側に前記電子チップタグを貼り付けてシール部材（封印シール３３０）を構成し、そのシール部材を前記制御装置に貼り付けたことを特徴とする手段２１又は２２に記載の遊技機の管理システム。
【００５５】
手段２３によれば、シール部材が制御装置に貼り付けられることにより、電子チップタグが同制御装置に取り付けられる。この場合、電子チップタグを、ベースシートに覆われるようにして制御装置に貼り付けることができ、同電子チップタグの保護を図ることができる。
【００５６】
手段２４．長尺状をなす前記アンテナ部を直線状、略直線状又は弧状に拡げた状態で前記電子チップタグを前記ベースシートに貼り付ける一方、前記ベースシートを、前記制御装置への貼付状態から剥がす際にその応力に伴い破損が生じる程度の脆弱性を有するものとしたことを特徴とする手段２１乃至２３のいずれかに記載の遊技機の管理システム。
【００５７】
手段２４によれば、ベースシートは一旦貼り付けた後は、剥がす際の応力により破損するため、その破損に伴って長尺状のアンテナ部にも破損が生じる。したがって、シール部材を剥がす場合には電子チップタグの破損を招くこととなり、電子チップタグを取り出そうとする不正行為が抑制できる。
【００５８】
手段２５．複数に分割可能な基板ボックス（基板ボックス２７３）内に制御基板（主基板２７２）を収容して前記制御装置を構成し、前記基板ボックスの分割部分を跨ぐようにして前記シール部材を貼り付けたことを特徴とする手段２４に記載の遊技機の管理システム。
【００５９】
手段２５によれば、基板ボックスの分割部分を跨ぐようにしてシール部材が貼り付けられているため、制御基板の取り出しや、基板ボックス内への不正な電子部品の装着などを目的として基板ボックスを開放する場合には、シール部材を一旦剥がさなければならない。そのため、上記のとおりシール部材を剥がすことに伴い電子チップタグの破損が生じ、その後の電子チップタグの使用を不可とすることができる。これにより、不正行為の発見が可能となる。
【発明を実施するための最良の形態】
【００６０】
[第１の実施の形態]
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開又は分解して示す斜視図である。なお、図２では便宜上、パチンコ機１０の遊技領域内の構成を空白としている。
【００６１】
図１及び図２に示すように、パチンコ機１０は、当該パチンコ機１０の外殻を形成する外枠１１を備えている。外枠１１は、全体として矩形枠状をなし、遊技ホールへの設置に際しいわゆる島設備に取り付けられる。外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。
【００６２】
本体枠１２の前面側の下部位置には前面板１４が設けられている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００６３】
本体枠１２の前面側において前面板１４を除く範囲には、本体枠１２を覆うようにして前面扉としての前扉枠１３が設けられている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。
【００６４】
本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図３に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００６５】
次に、遊技盤３０の構成を図３に基づいて説明する。遊技盤３０には、前後方向に貫通する大小複数の開口部が形成され、各開口部には一般入賞口３１、可変入賞装置３２、作動口３３、スルーゲート３４及び可変表示ユニット３５等がそれぞれ設けられている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【００６６】
可変表示ユニット３５には、作動口３３への入賞をトリガとして第１図柄（特別図柄）を変動表示する第１図柄表示装置４１が設けられている。可変表示ユニット３５には、第１図柄表示装置４１を囲むようにしてセンターフレーム４３が配設されている。センターフレーム４３の上部には、第１図柄表示装置４１に対応した保留ランプ４４が設けられている。遊技球が作動口３３を通過した回数は最大４回まで保留され、保留ランプ４４の点灯によってその保留個数が表示されるようになっている。また、センターフレーム４３の上部中央には、スルーゲート３４の通過をトリガとして第２図柄（普通図柄）を変動表示する第２図柄表示装置４２が設けられている。センターフレーム４３の下部には、第２図柄表示装置４２に対応した保留ランプ４６が設けられている。遊技球がスルーゲート３４を通過した回数は最大４回まで保留され、保留ランプ４６の点灯によってその保留個数が表示されるようになっている。
【００６７】
第１図柄表示装置４１は液晶ディスプレイを備えた液晶表示装置として構成されており、後述する表示制御装置により表示内容が制御される。第１図柄表示装置４１には、例えば左、中及び右に並べて第１図柄が表示され、これらの図柄が上下方向にスクロールされるようにして可変表示されるようになっている。なお、第１図柄表示装置４１は、液晶ディスプレイ以外に、ＣＲＴ，ドットマトリックス，７セグメント等その他のタイプにより表示画面を構成したものであってもよい。
【００６８】
第２図柄表示装置４２は、例えば「○」、「×」の２種類の第２図柄を表示する表示部４５を備えている。そして、遊技球がスルーゲート３４を通過する毎に表示部４５の表示図柄（第２図柄）が変動し、その変動表示が所定図柄（例えば「○」図柄）で停止した場合に、作動口３３に付随する電動役物が所定時間だけ開放状態となるよう構成されている。具体的な変動態様は、遊技球がスルーゲート３４を通過すると、「○」と「×」の表示が付された部分の背面に内蔵された各ＬＥＤが交互に点灯され、最終的に「○」か「×」の一方に対応したＬＥＤのみが点灯されるというものである。
【００６９】
可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。
【００７０】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成され、内外二重に設けられた内レール部５１と外レール部５２とを有する。
【００７１】
遊技盤３０において表側の右下隅部には、遊技盤用の証紙ラベル５５が貼り付けられている。この証紙ラベル５５には、製造メーカ名、遊技機製造番号、及びそれらの各データを二次元コード化したＱＲコード（登録商標）が印刷等により記されている。なお、遊技盤３０をパチンコ機１０として組み付けた状態では、前扉枠１３に設けた小窓１０７（図１参照）を通じて、パチンコ機前方から証紙ラベル５５が視認可能となっている。
【００７２】
また、遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００７３】
一方、図２に示すように、樹脂ベース２５には、窓孔２６の左上部に小窓７９が設けられている。この小窓７９は、図３で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。
【００７４】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【００７５】
次に、前扉枠１３について説明する。前扉枠１３には、遊技領域のほぼ全域を前方から視認することができるようにした視認窓としての窓部１０１が形成されている。窓部１０１は円形に近い略楕円形状をなし、より詳しくは、その左右側の略中央部が上下側に比べて緩やかに湾曲した形状となっている。
【００７６】
前扉枠１３にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態時に点灯や点滅を行うことにより大当たり中であることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。
【００７７】
前扉枠１３には、窓部１０１の下方位置に貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【００７８】
次に、パチンコ機１０の背面の構成を説明する。図４はパチンコ機１０の背面図、図５はパチンコ機１０の背面構成を主要部品毎に分解して示す分解斜視図である。
【００７９】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板）と音声ランプ制御装置２９１（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【００８０】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図６の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【００８１】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【００８２】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【００８３】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【００８４】
次に、本体枠１２及び遊技盤３０の裏面構成を説明する。図７は本体枠１２に遊技盤３０を組み付けた状態でかつ前記各ユニット２０１〜２０３等を取り外した状態の構成を示す背面図、図８は本体枠１２を後方より見た斜視図、図９は遊技盤３０を後方より見た斜視図である。
【００８５】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図７にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【００８６】
遊技盤３０の中央に配置される可変表示ユニット３５には、センターフレーム４３（図３参照）を背後から覆う合成樹脂製のフレームカバー２１３が後方に突出して設けられており、そのフレームカバー２１３の後端に、第１図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【００８７】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【００８８】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、大当たり中に可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【００８９】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。
【００９０】
集合板ユニット２１５には、その右上部に盤用外部端子板２３０が設けられている。盤用外部端子板２３０には、第１図柄の変動が停止（確定）する毎に信号出力するための出力端子と、大当たり中又は第１図柄の変動時間短縮中に信号出力するための出力端子と、大当たり中に信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図７に示すように、本体枠１２裏側の左下部には、打球槌等を備えるセットハンドル２２８及び発射モータ２２９が設けられている。
【００９１】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【００９２】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【００９３】
上記の如く本体枠１２の左右一側部（図７では右側部）には長尺状の軸受け金具２３５が設けられる一方、本体枠１２の左右他側部（図７では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【００９４】
また、本体枠１２において背面側の右下隅部には、枠用の証紙ラベル２４５が貼り付けられている。この証紙ラベル２４５には、製造メーカ名、遊技機製造番号、及びそれらの各データを二次元コード化したＱＲコード（登録商標）が印刷等により記されている。
【００９５】
次に、第１制御基板ユニット２０１の構成を図１０〜図１４に基づいて説明する。図１０は第１制御基板ユニット２０１の正面図、図１１は同ユニット２０１の斜視図、図１２は同ユニット２０１の分解斜視図、図１３は同ユニット２０１を裏面から見た分解斜視図、図１４は同ユニット２０１を構成する主制御装置２７１の分解斜視図である。
【００９６】
第１制御基板ユニット２０１は略Ｌ字状をなす台座部材としての取付台２５１を有し、取付台２５１に主制御装置２７１と音声ランプ制御装置２９１とが搭載されている。主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２７２を具備しており、主基板２７２が透明樹脂材料等よりなる被包手段としての基板ボックス２７３に収容されて構成されている。本実施の形態において、主基板２７２上には、ＣＰＵ、ＲＯＭ及びＲＡＭを１チップ化したマイコンチップ２７５が実装されている。ただし、ＣＰＵ、ＲＯＭ及びＲＡＭを１チップ化せず、それぞれの機能毎にチップ化した構成であってもよい。なお、図１４において、符号２７６は入出力ドライブ用ＩＣチップであり、符号２７７はラッチ用ＩＣチップである。
【００９７】
マイコンチップ２７５には、チップ固有の識別番号（チップＩＤコード）があらかじめ格納されており、主制御装置２７１に設けられたデータ読み出し端子２７９に対してデータ読み取り装置を電気的に接続することによりチップＩＤコードの読み出しが可能となっている。この読み出しは、遊技機認証機関（警察機関等）や製造メーカにおいて専用の読み取り装置を用いて行われる。
【００９８】
基板ボックス２７３は、略直方体形状のボックスベース２８１と該ボックスベース２８１の開口部を覆うボックスカバー２８２とを備えている。この場合、ボックスベース２８１が表ケース体であり、ボックスカバー２８２が裏ケース体である。ボックスカバー２８２は、ボックスベース２８１に対してスライド装着される構成となっており、ボックスカバー２８２に主基板２７２を組み付けた状態で、ボックスベース２８１の短辺部片側（図１４の右側）からボックスカバー２８２をスライド装着することで、ボックスベース２８１とボックスカバー２８２とが一体化できるようになっている。
【００９９】
ボックスベース２８１とボックスカバー２８２とは封印手段としての封印ユニット２７４によって開封不能に連結され、これにより基板ボックス２７３が封印されている（ここでは、開封履歴を残さず開封することが不可であることを意味する）。封印ユニット２７４としてはボックスベース２８１とボックスカバー２８２とを開封不能に連結する構成であれば任意の構成が適用できるが、ここでは図１４に示すように、ボックスベース２８１及びボックスカバー２８２にそれぞれ５つの封印部材２８３，２８４を設けた構成となっており、この封印部材２８３，２８４の長孔に係止爪を挿入することでボックスベース２８１とボックスカバー２８２とが開封不能に連結されるようになっている。
【０１００】
封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材２８３，２８４のうち、少なくとも一つの封印部材の長孔に係止爪を挿入することにより封印処理が行われる。そして、収容した主基板２７２の不具合発生の際や主基板２７２の検査の際など基板ボックス２７３を開封する場合には、係止爪が挿入された封印部材と他の封印部材との連結を切断する。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【０１０１】
また、ボックスベース２８１及びボックスカバー２８２において、封印部材２８３，２８４の逆側の短辺部には、それぞれ略板状をなすシール貼付部２８５，２８６が突出形成されている。このシール貼付部２８５，２８６は、ボックスベース２８１及びボックスカバー２８２を組み付けた状態で当接しかつ前後に重なる形状を有し、シール貼付部２８５，２８６が前後に重なった状態でそれら各部に跨るようにして封印シール３３０が貼り付けられている。図１４に示すように、これら両貼付部２８５，２８６にはネジ穴２８５ａ，２８６ａが形成されており、ネジ２８７により両貼付部２８５，２８６が接合固定されている。
【０１０２】
図１５は、シール貼付部２８５，２８６における封印シール３３０の貼付状態を示す断面図であり、これは図１０におけるＡ−Ａ線断面図に相当する。図１５に示すように、封印シール３３０は、両貼付部２８５，２８６に沿って略コ字状に折り曲げられて貼着されており、そのシール貼着状態において両貼付部２８５，２８６のネジ穴２８５ａ，２８６ａが封印シール３３０により覆われるようになっている。
【０１０３】
ここで、封印シール３３０の構成について図１６及び図１７を用いて説明する。図１６は封印シール３３０の表面側及び裏面側の構成を示す図であり、図１７は封印シール３３０の断面構成を示す図である。
【０１０４】
封印シール３３０は略矩形状のベースシート３３１を備えており、ベースシート３３１の背面には粘着剤が塗布され粘着層３３２が形成されている。また、粘着層３３２の一部にＩＣタグ３３３が埋め込まれている。図１７においては、粘着層３３２の背面側に剥離シート３３４が示されている。この剥離シート３３４は封印シール３３０を基板ボックス２７３に貼り付ける際に剥がされるものであり、剥離シート３３４を剥がすことにより封印シール３３０の裏面側において粘着層３３２が露出し、基板ボックス２７３へのシール貼着が可能となっている。
【０１０５】
ベースシート３３１は、ポリエステル系フィルムなど、適度な脆性を有する可撓性樹脂フィルムにより形成されており、さらに溶剤や熱に対して反応性を有する。具体的には、粘着層３３２を構成する粘着剤に対して溶解性を備えたトルエンなどがベースシート３３１に塗布されると、ベースシート３３１は変色する。また、粘着層３３２の粘着力が低下する温度（例えば、５０℃）以上の熱が加えられた場合にもベースシート３３１は変色する。これにより、基板ボックス２７３から封印シール３３０を不正に剥がそうとして溶剤がかけられたり、熱が加えられたりした場合、ベースシート３３１が変色することで当該不正行為の痕跡を残すことができる。
【０１０６】
粘着層３３２の粘着剤は、従来の封印シールと同様に、一旦貼り付けされた後に剥がされる場合にベースシート３３１から剥離される程度の粘着力を有している。したがって、封印シール３３０が剥がされた場合には再度貼り付けすることが不可能となり、さらには粘着層の一部が基板ボックス側に残ることとなる。よって、封印シール３３０を不正に剥がした痕跡を残すことができる。
【０１０７】
ＩＣタグ３３３は、ＩＣチップ３３３ａ及びアンテナ部３３３ｂより構成されており、長尺状のアンテナ部３３３ｂの中央付近にＩＣチップ３３３ａが配置されている。ＩＣチップ３３３ａは集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別データとしてのＩＤ情報が格納されている。具体的には、製造メーカ名（又は複数のメーカごとに付されたメーカ固有番号）、遊技機固有のＩＤ番号が格納されている。ＩＣチップ３３３ａのメモリ領域はデータ書き換え不可であるため、ＩＤ情報が不正に改ざんされる等の不都合が抑制できるようになっている。
【０１０８】
アンテナ部３３３ｂは、アルミ等の金属薄層で形成されており、その厚みはＩＣチップ３３３ａの厚みよりも薄い。また、アンテナ部３３３ｂは、共振周波数が２．４５ＧＨｚ等の一定周波数となるようにアンテナパターンとして作製されている。
【０１０９】
ＩＣチップ３３３ａのＩＤ情報は、制御部によって呼び出されてアンテナ部３３３ｂから発信することができるように構成されており、アンテナ部３３３ｂから発信されたＩＤ情報を、リーダライタ装置等として構成されるスキャナ装置で受信して読み取ることができるようになっている。詳細には、スキャナ装置からは前記周波数の微弱な電波で呼び出しが行われるようになっており、この電波により誘導電磁界が形成される。そして、誘導電磁界内にアンテナ部３３３ｂが位置する程度にスキャナ装置をアンテナ部３３３ｂに近接させると、アンテナ部３３３ｂに電磁誘導で起電力が発生する。ＩＣチップ３３３ａではこの起電力を電源として、メモリ領域に格納されているＩＤ情報を制御部で呼び出してアンテナ部３３３ｂから送信する。
【０１１０】
ＩＣタグ３３３（アンテナ部３３３ｂ）は、図１６（ｂ）に示すように、ベースシート３３１においてその一隅部側からその対角方向の隅部側に亘って斜めに配置されている。詳細には、アンテナ部３３３ｂはベースシート３３１の対角線上にはなく、アンテナ部３３３ｂの長手方向がベースシート３３１の両対角線と交差している。この場合、長尺状のアンテナ部３３３ｂはその長手方向がベースシート３３１のすべての辺方向と交差することとなる。そして、封印シール３３０が両貼付部２８５，２８６に跨って貼り付けられているのに伴って、アンテナ部３３３ｂも両貼付部２８５，２８６に跨っている。
【０１１１】
また、封印シール３３０には、アンテナ部３３３ｂの長手方向に沿って等間隔で並ぶ多数のアンテナ用切り込み３３５が形成されている。アンテナ用切り込み３３５は、アンテナ部３３３ｂの長手方向に対して略直交する方向に延びる直線状であり、ベースシート３３１の表面側から粘着層３３２の背面側まで貫通している（なお、図１６（ａ）ではアンテナ用切り込み３３５を省略して示している）。ちなみに、アンテナ用切り込み３３５が延びる方向は、アンテナ部３３３ｂの長手方向に対して略直交する方向であるため、ベースシート３３１のすべての辺方向と交差している。また、アンテナ用切り込み３３５は、アンテナ部３３３ｂに若干掛かる構成となっている。この場合に、アンテナ部３３３ｂはアンテナ用切り込み３３５により分断されていないため、ＩＤ情報の送信に関して弊害は生じない。また、アンテナ用切り込み３３５がアンテナ部３３３ｂを挟んで直線状に並ばないように、アンテナ部３３３ｂの一側に位置するアンテナ用切り込み３３５と他側に位置するアンテナ用切り込み３３５とはずらして形成されている。詳細には、アンテナ部３３３ｂの一側に位置するアンテナ用切り込み３３５と他側に位置するアンテナ用切り込み３３５とは、アンテナ部３３３ｂの長手方向に沿って交互に並ぶように形成されている。
【０１１２】
以上説明した封印シール３３０を貼付部２８５，２８６から剥がそうとする場合、その剥がす力に伴う応力がアンテナ部３３３ｂの周囲に位置するアンテナ用切り込み３３５の端部に集中することで、アンテナ用切り込み３３５を介してベースシート３３１が破壊され、それに伴ってアンテナ部３３３ｂが分断されることとなる。アンテナ部３３３ｂが分断されるとＩＤ情報がアンテナ部３３３ｂから送信されなくなるので、ＩＤ情報をスキャナ装置で読み取ることができなくなる。よって、封印シール３３０を貼付部２８５，２８６から丁寧に剥がして基板ボックス２７３を開封し、主基板２７２に対して不正を行った後に、基板ボックス２７３を封印して封印シール３３０を再度貼ったとしても、当該不正行為を容易に発見することができる。
【０１１３】
封印シール３３０の４隅には、ベースシート３３１の表面側から粘着層３３２の背面側まで貫通する隅側切り込み３３６がそれぞれ形成されている。詳細には、隅側切り込み３３６は、封印シール３３０の隅角の内側にて当該隅角に沿うようにしてＬ字状に形成されている。よって、封印シール３３０がその一辺に沿う方向に剥がされるのではなく封印シール３３０の隅角側から剥がされたとしても、隅側切り込み３３６から封印シール３３０に破壊が生じ、不正行為の痕跡を残すことができる。
【０１１４】
封印シール３３０の外縁には、図１６に示すように、外側端部から内側に向けて多数の外縁切り込み３３７が形成されている。これら外縁切り込み３３７は、内側から外側に向けて開くようにして鋭角のＶ字状となっており、さらに封印シール３３０の外周に沿う方向に等間隔で形成されている。したがって、基板ボックス２７３の貼付部２８５，２８６から封印シール３３０を剥がそうとすると、この剥がす力に伴う応力が外縁切り込み３３７の内側端部に集中し、また上記のとおりベースシート３３１が適度な脆性を有していることにより、封印シール３３０に破れなどといった破壊が生じる。これにより、封印シール３３０が剥がされたことの痕跡を残すことができ、主基板２７０に対して不正行為が行われたことを容易に発見することができる。
【０１１５】
また、ベースシート３３１の表面には、図１６（ａ）に示すように、インク塗布部３４１、識別情報部３４２及び機種情報部３４３が設けられている。インク塗布部３４１には、紫外線などといった特定の波長の光が照射されることにより模様が表れる特殊インクが塗布されている。識別情報部３４２には、複数の英数字（アルファベット又は数字）が記載されており、当該識別情報部３４２に記載される英数字は遊技機毎に異なるものとなっている。この場合に、識別情報部３４２に記載される英数字はＩＣチップ３３３ａに格納されているＩＤ情報と対応づけて規定されている。例えば、ＩＤ情報が数字で登録されている場合には、ＩＤ情報の数字と識別情報部３４２に記載された数字との和が、遊技ホールなどに設置された複数の遊技機において同一となるように規定されている。機種情報部３４３には、当該遊技機の機種名や当該遊技機の製造メーカ名などが記載されている。
【０１１６】
識別情報部３４２に付される英数字について追記する。封印シール３３０の製造過程において、当該封印シール３３０にＩＣタグ３３３が組み付けられた段階では未だ識別情報部３４２に英数字が付されておらず、ＩＣタグ３３３の組み付け後にリーダ装置（スキャナ装置）によりタグＩＤ情報が読み取られると、その読み取られたタグＩＤ情報に関連付けて英数字がレーザ刻印等により印字される。なお、識別情報部３４２に英数字を印字する作業は、ＩＣタグ３３３のタグＩＤ情報が正常に読み取ることができたことを条件に行われ、仮にＩＣタグ３３３のタグＩＤ情報が正常に読み取れなかった場合には、英数字の印字が行われない。この場合、該当する封印シール３３０は破棄される。
【０１１７】
ここで、封印シール３３０の図１６（ａ）における上部領域Ｒ１は、ボックスカバー２８２の貼付部２８６側に貼付される。よって、主制御装置２７１に正面側からインク塗布部３４１及び識別情報部３４２を視認することができ、インク塗布部３４１及び識別情報部３４２の確認作業を容易に行うことができる。また、封印シール３３０の図１６（ａ）における中間領域Ｒ２は、両貼付部２８５，２８６の側面側に位置している。よって、機種情報部３４３に記載された内容は主制御装置２７１を取付台２５１から取り外すことなく確認することができる。なお、下部領域Ｒ３は、ボックスベース２８１の貼付部２８５側に貼付される。
【０１１８】
以上のようにインク塗布部３４１及び識別情報部３４２が設けられていることにより、主制御装置２７１が不正に交換された場合に、その交換がなされていることを容易に発見することができる。即ち、交換された不正用の主制御装置が正規のものと外観上区別できなかったとしても、インク塗布部３４１に特有の光を照射し模様が表れないことを確認することで交換されたことを発見することができる。また、不正用の主制御装置の封印シールにＩＣタグが設けられていたとしても、ＩＤ情報をスキャナ装置で読み取り、その情報と識別情報部３４２の情報とを確認することで交換されたことを発見することができる。
【０１１９】
また、主制御装置２７１において基板ボックス２７３のボックスカバー２８２には、上記の封印シール３３０（ＩＣタグ３３３）以外に、情報ラベルとして２つの識別シール３４５，３４６が貼付されている。この場合、識別シール３４５は、主制御装置２７１（主基板）に関する固有情報（主基板ＩＤ情報）を記した情報ラベルであり、具体的には、製造メーカコード、製造番号、及びそれらの各データを二次元コード化したＱＲコード（登録商標）が印刷等により記されている。また、識別シール３４６は、パチンコ機１０に関する固有情報（パチンコ機ＩＤ情報）を記した情報ラベルであり、具体的には、製造メーカ名、機種名、機種コード、及びそれらの各データを二次元コード化したＱＲコードが印刷等により記されている。各識別シール３４５，３４６に付されたＱＲコードは、ＱＲコード読み取り機能を有するスキャナ装置により読み取られる。
【０１２０】
音声ランプ制御装置２９１は、例えば主制御装置２７１又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２９２に収容されて構成されている。音声ランプ制御装置２９１上には電源中継基板２９３が搭載されており、電源装置３１３の電源が電源中継基板２９３を介して表示制御装置２１４及び音声ランプ制御装置２９１に供給されるようになっている。主制御装置２７１の基板ボックス２７３及び音声ランプ制御装置２９１の基板ボックス２９２は何れもケース部材に相当する。
【０１２１】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は装着部を構成するものであって、縦横に直交する向きに延び、パチンコ機１０の前後方向に段差をもって形成されている。基板搭載面２５２の上縁部及び下縁部にはそれぞれ、基板搭載面２５２より起立した起立部２５４が一体成形されている。そして、横長に延びる一方の基板搭載面２５２上に主制御装置２７１が配置されると共に、縦長に延びる他方の基板搭載面２５３上に音声ランプ制御装置２９１が配置される。このとき、主制御装置２７１は、上下の側部が起立部２５４にて支えられる。また、音声ランプ制御装置２９１は、複数箇所でネジ等により基板搭載面２５３に固定される。
【０１２２】
ここで、図１２及び図１３に示すように、基板搭載面２５２には、左右２カ所に孔部としての横長形状の貫通孔２５６が形成されている。一方、主制御装置２７１の基板ボックス２７３には、その裏面の左右２カ所に締結部材としての回動操作式の固定具２７８が設けられている。主制御装置２７１を基板搭載面２５２に搭載する際には、基板搭載面２５２の貫通孔２５６に固定具２７８を挿通させるようにして主制御装置２７１を載置し、その状態で固定具２７８を回動操作することで主制御装置２７１を固定する。これにより、基板搭載面２５２上にて取り外し不能に主制御装置２７１が装着できる。この場合、主制御装置２７１は第１制御基板ユニット２０１の裏面側から固定具２７８をロック解除しなければ取り外しできないため、基板取り外し等の不正行為に対して抑止効果が得られる。
【０１２３】
取付台２５１において、主基板用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７８のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７８のロック状態を不正に解除することができないようになっている。
【０１２４】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。施錠装置を正しくキー操作して外枠１１に対して本体枠１２を開放することが、裏パックユニット２０３を開放するための開放条件となっている。
【０１２５】
主制御装置２７１はパチンコ機１０裏面から見て手前側に配置され、音声ランプ制御装置２９１はその奥側に配置される。この場合、基板搭載面２５２，２５３がパチンコ機１０の前後方向に段差をもって形成されているため、これら基板搭載面２５２，２５３に主制御装置２７１及び音声ランプ制御装置２９１を搭載した状態において各制御装置２７１，２９１はその一部を前後に重ねて配置される。つまり、図１１等にも見られるように、主制御装置２７１はその一部（本実施の形態では１／３程度）が浮いた状態で配置される。故に、主制御装置２７１に重なる領域まで音声ランプ制御装置２９１を拡張することが可能となり、また別の見方をすれば音声ランプ制御装置２９１に重なる領域まで主制御装置２７１を拡張することが可能となり、パチンコ機１０という限られた大きさの中にあっても、各制御装置２７１，２９１の大型化に良好に対処できるとともに、各制御装置２７１，２９１を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０１２６】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１２７】
次に、第２制御基板ユニット２０２の構成を図１８〜図２０に基づいて説明する。図１８は第２制御基板ユニット２０２の正面図、図１９は同ユニット２０２の斜視図、図２０は同ユニット２０２の分解斜視図である。
【０１２８】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１２９】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押下されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１３０】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１３１】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１３２】
次に、裏パックユニット２０３の構成を図２１及び図２２に基づいて説明する。図２１は裏パックユニット２０３の正面図、図２２は裏パックユニット２０３の分解斜視図である。
【０１３３】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し本実施の形態では、前述の音声ランプ制御装置２９１も併せて囲む構成となっている。
【０１３４】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。
【０１３５】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦが切り替えられるようになっている。
【０１３６】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１３７】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１３８】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１３９】
次に、本パチンコ機１０の電気的構成について、図２３のブロック図に基づいて説明する。
【０１４０】
主制御装置２７１には、演算装置である１チップマイコンとしてのＣＰＵ５０１が搭載されている（上述のマイコンチップ２７５に相当）。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１４１】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１４２】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１４３】
主制御装置２７１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２１４や、その他図示しないスイッチ群などが接続されている。
【０１４４】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１４５】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１４６】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１４７】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０１４８】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０１４９】
表示制御装置２１４は、第１図柄表示装置４１における第１図柄（特別図柄）の変動表示と、第２図柄表示装置４２における第２図柄（普通図柄）の変動表示とを制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には第２図柄表示装置４２（表示部４５）や、音声ランプ制御装置２９１が接続されている。また、画像コントローラ５２６にはバスライン５３１を介して出力ポート５２９が接続されており、その出力ポート５２９の出力側には第１図柄表示装置４１が接続されている。
【０１５０】
表示制御装置２１４のＣＰＵ５２１は、主制御装置２７１から送信される図柄表示コマンドに基づいて第１図柄表示装置４１及び第２図柄表示装置４２の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１５１】
ビデオＲＡＭ５２４は、第１図柄表示装置４１に表示される表示データを記憶するためのメモリであり、ビデオＲＡＭ５２４の内容を書き替えることにより、第１図柄表示装置４１の表示内容が変更される。キャラクタＲＯＭ５２５は、第１図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４１に表示させるものである。
【０１５２】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０１５３】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０１５４】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押下された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０１５５】
ところで、本パチンコ機１０においては、上述したようにパチンコ機１０ごと又は主制御装置２７１ごとに各種のＩＤ情報（識別情報）が付されており、それら各ＩＤ情報により本パチンコ機１０及び主制御装置２７１の管理が可能となっている。各種のＩＤ情報についてあらためて以下に記述する。
（１）遊技盤用の証紙ラベル５５に記された遊技盤ＩＤ情報…同ラベル５５は遊技盤３０に貼付され、遊技盤ＩＤ情報として遊技盤３０の製造メーカ名（例えば、（株）××物産）、遊技機製造番号（例えば、No.１２３４５６７）、及びそれらの各データを二次元コード化したＱＲコードが記されている。
（２）枠用の証紙ラベル２４５に記された枠ＩＤ情報…同ラベル２４５は本体枠１２に貼付され、枠ＩＤ情報として本体枠１２の製造メーカ名（例えば、（株）××物産）、遊技機製造番号（例えば、No.１２３４５６７）、及びそれらの各データを二次元コード化したＱＲコードが記されている。
（３）識別シール３４５に記された主基板ＩＤ情報…識別シール３４５は主制御装置２７１の基板ボックス２７３に貼付され、主基板ＩＤ情報として製造メーカコード（例えば、ＳＹ−Ｆ）、製造番号（例えば、No.１２３４５６７）、及びそれらの各データを二次元コード化したＱＲコードが記されている。
（４）識別シール３４６に記されたパチンコ機ＩＤ情報…識別シール３４６は主制御装置２７１の基板ボックス２７３に貼付され、パチンコ機ＩＤ情報として製造メーカ名（例えば、（株）××物産）、機種名（例えば、××物語）、機種コード（例えば、１２３４５Ａ）、及びそれらの各データを二次元コード化したＱＲコードが記されている。
（５）ＩＣタグ３３３のタグＩＤ情報…ＩＣタグ３３３は主制御装置２７１の封印シール３３０に組み付けられ、タグＩＤ情報として製造メーカ名（又は複数のメーカごとに付されたメーカ固有番号）、遊技機固有のＩＤ番号が格納されている。
（６）マイコンチップ２７５に格納されたチップＩＤ情報…マイコンチップ２７５は主制御装置２７１の主基板２７２に実装され、チップＩＤ情報としてチップ固有番号等が記憶されている。
【０１５６】
上記（１）〜（６）の各情報は、製造メーカにおいてパチンコ機１０の製造段階ですべてパチンコ機ごとに付与され、ラベル等の貼付が行われる。ただし、上記（６）のチップＩＤ情報に関しては、遊技機製造メーカでなく、チップ製造メーカにおいてチップ固有番号等の書き込みが行われる。そしてパチンコ機の組立完了後には、パチンコ機１０が梱包され、遊技ホールなど、指定の供給先に出荷される。かかる場合において、上記（１）〜（６）の各情報は、製造メーカでパチンコ機ごとに対応させて遊技機管理データとして登録され、非公開データとして記憶保持される。このとき、遊技機管理データとして、パチンコ機１０ごとに出荷先、出荷日時に関する出荷データも併せて登録される。
【０１５７】
遊技ホールなどにおいてパチンコ機１０を新規に設置する場合には、当該遊技ホールの管理者などによって、製造メーカから出荷され納品されたパチンコ機個々に各種ＩＤ情報の確認が行われる。このとき、スキャナ装置を用いて各種ＩＤ情報の読み取りが行われるとともに、その読み取った各種ＩＤ情報が前記遊技機管理データと照合され、パチンコ機１０が真正品であるか否かなどの確認（認証）が行われる。これにより、パチンコ機１０の搬送途中において当該パチンコ機が不正品に差し替えられたりしても、その不正品の判定が可能となる。また、パチンコ機１０の新規設置時以外にも、パチンコ機稼働開始後における定期又は不定期の遊技機チェック時や、主基板交換時、遊技盤交換時（板替え時）などにおいても同様に、上記ＩＤ情報の読み取り及び照合などが適宜行われる。
【０１５８】
ただし、上記（１）〜（６）の各情報のうち、遊技ホールの管理者などによって読み取られるＩＤ情報は（１）〜（５）の情報であり、（６）の情報に関しては、特定の遊技機認証機関（警察機関等）において読み取られる情報となっている。
【０１５９】
以下、パチンコ機管理システムの詳細について図面を用いながら詳しく説明する。図２４は本実施形態におけるパチンコ機管理システムの概要を示す構成図である。
【０１６０】
図２４において、遊技ホールＨには多数のパチンコ機１０が設置されている。パチンコ機１０には各々、前述したとおり主制御装置２７１等においてラベル片等によって各種ＩＤ情報が付与されている。スキャナ装置６０１は、ハンディタイプのリーダであり、証紙ラベル５５，２４５や識別シール３４５，３４６のＱＲコード情報を読み取るためのＱＲコード読み取り機能と、ＩＣタグ３３３のタグＩＤ情報を読み取るためのタグ情報読み取り機能とを有している。スキャナ装置６０１は、上記のラベルやシール等に近接することにより、非接触の状態で各種情報の読み取りが可能となっている。スキャナ装置６０１には、各種ボタン類よりなり管理者等が入力操作を行う操作部６０１ａと、液晶画面等よりなる表示部６０１ｂとが設けられている。なお、スキャナ装置６０１の付加機能として、所定の音声アナウンスを発するアナウンス機能を持たせることも可能である。
【０１６１】
また、管理コンピュータ６０２は、パチンコ機１０の管理プログラムを有する電子演算装置であり、スキャナ装置６０１に接続されることで同スキャナ装置６０１の読み取り情報（各種ＩＤ情報）を読み込むことができるようになっている。図２４中、符号６０３は、遊技ゲーム数や大当たり回数などを表示するためのデータカウンタであり、同データカウンタ６０３には、遊技ホールＨにおいてパチンコ機ごとの台番号が付されている。
【０１６２】
ちなみに、遊技ホールＨには各パチンコ機１０の出玉管理等を行う、いわゆる「ホールコンピュータ」が設けられているが、上記の管理コンピュータ６０２はホールコンピュータとは別装置として構成されており、例えばノート型パソコンで具現化される。
【０１６３】
一方、遊技ホールＨには、一般に複数の製造メーカのパチンコ機が設置されており、そのメーカごとに管理サーバ装置が設けられている。本実施形態では、各メーカＭ１，Ｍ２，Ｍ３…に管理サーバ装置としてのデータサーバ７０１が設けられており、遊技ホールＨ側の管理コンピュータ６０２と各メーカＭ１，Ｍ２，Ｍ３…のデータサーバ７０１との間で双方向の通信が可能となっている。各データサーバ７０１には、パチンコ機１０の出荷前に登録した管理データ（上記（１）〜（５）の各情報、「初期登録データ」とも言える）が記憶保持されている。管理データには、出荷先の遊技ホール名（店名）、出荷日時の情報も併せて登録されている。なお、遊技ホールで設置する台番号が分かっている場合には、その台番号の情報も併せて登録されると良い。
【０１６４】
遊技ホールＨ側の管理コンピュータ６０２とメーカ側の各データサーバ７０１との間の通信手段は任意であり、汎用の通信回線や専用回線を用いる有線通信、又は無線通信が適宜適用できる。なお、管理データのセキュリティ性を高めるには、データ送信時において送信データの暗号化などの処置が適宜施されると良い。
【０１６５】
上記構成の管理システムでは、遊技ホールＨにおいて、管理者等によって、スキャナ装置６０１を用いてパチンコ機１０の各種ＩＤ情報が読み取られる。具体的には、スキャナ装置６０１のＱＲコード読み取り機能によって、上記（１）〜（４）のＱＲコード情報が読み取られる。また、同スキャナ装置６０１のタグ情報読み取り機能によって、上記（５）のタグＩＤ情報が読み取られる。スキャナ装置６０１によって読み取られたＱＲコード情報やタグＩＤ情報（上記（１）〜（５）の各情報）は管理コンピュータ６０２に対して逐次送信される。この場合詳しくは、スキャナ装置６０１から管理コンピュータ６０２へは、パチンコ機１０について都度管理対象とされる複数台の読み取りデータがまとめて送信される。このとき、同一機種単位、又は同一メーカ単位で区別されてデータ送信が行われる。ただし、その読み取りデータの送信はパチンコ機１０について１台ずつ行われても良い。
【０１６６】
ここで、各種ＩＤ情報の読み取り時において、各パチンコ機とＩＤ情報との対応付けがずれてしまうと、真正確認（パチンコ機の認証）が正確に実施できなくなる。例えば、複数のパチンコ機について連続して情報読み取りを行う場合に、先のパチンコ機について情報読み取りが未完のまま、次のパチンコ機の情報読み取りが開始されると、情報不足が生じたり、複数のパチンコ機間での情報の食い違いが生じたりし、それに起因して真正品か不正品かが誤って判定されるといった不都合が生じる。
【０１６７】
そこで、スキャナ装置６０１で情報読み取り作業を行う際、当該スキャナ装置６０１側で読み取り順序を指定し、その指定順序で情報読み取りを行わせる構成とする。具体的には、スキャナ装置６０１の表示部６０１ｂに情報読み取り順序を表示させる。例えば、『証紙ラベル５５の遊技盤ＩＤ情報』→『証紙ラベル２４５の枠ＩＤ情報』→『識別シール３４５の主基板ＩＤ情報』→『識別シール３４６のパチンコ機ＩＤ情報』→『ＩＣタグ３３３のタグＩＤ情報』といった読み取り順序を表示させる。この場合、各種ＩＤ情報について、同一の情報形態のものをまとめて（すなわち連続して）読み取るよう読み取り順序が規定されるのが望ましい。上記例示した順序では、先にＱＲコード情報をまとめて読み取らせ、その後タグ情報を読み取らせるようにしている。このとき、情報読み取りが完了した情報について、表示部６０１ｂの表示態様（表示色、表示フォント、表示の有無／濃淡など）を変更し、管理者等に読み取り済み又は未済であることを分かりやすく通知するとよい。上記読み取り順序と異なる順序で情報読み取りが行われた場合には、読み取り情報を無効化すると良い。
【０１６８】
上記のように読み取り順序が表示されることにより、各種ＩＤ情報の読み取りミスが解消できる。これにより、読み取り情報の不足や複数のパチンコ機間での情報の食い違いなどに起因して真正品か不正品かが誤判定されるといった不都合が回避できる。
【０１６９】
各種ＩＤ情報の読み取り過程において、１台ずつの情報読み取りが完了する都度、読み取り完了を表す操作入力をユーザ（管理者等）に行わせるようにしても良い。具体的には、１つの台番のパチンコ機１０について全情報の読み取りが完了したら、スキャナ装置６０１の所定ボタン（例えば、ＥＮＤボタン）を押し操作させるようにする。なお、情報読み取りの開始時に、スキャナ装置６０１の所定ボタン（例えば、ＳＴＡＲＴボタン）を押し操作させるようにしても良い。この場合、ユーザの操作入力を処理手続として盛り込むことにより、読み取り間違いの抑止力が生じると期待できる。こうしてスキャナ装置６０１の所定ボタン（ＳＴＡＲＴボタン、又はＥＮＤボタン等）を押し操作を介在させる構成は、上記のように読み取り順序を指定する構成に併せて実現されても良いし、同読み取り順序を指定する構成とは別に実現されても良い。
【０１７０】
上記スキャナ装置６０１は、ＱＲコード読み取り機能とタグ情報読み取り機能とが同時に起動できる構成であると良い。こうして２つの読み取り機能が同時に起動されることにより、ＱＲコード情報とタグ情報とを交互に連続読み取りすることが可能となる。この場合、スキャナ装置６０１では、読み取った情報がＱＲコードかタグ情報かを都度判定し、その判定結果に応じて情報読み取りを実施する。本構成によれば、情報読み取り作業が容易となる。
【０１７１】
ただし、ＱＲコード読み取り機能とタグ情報読み取り機能とを同時に起動できないスキャナ装置を用いる場合を想定すると、ＱＲコード情報とタグ情報とを交互に連続読み取りするには、２つの読み取り機能を交互に起動させる必要性が生じると考えられる。この場合、読み取り作業が繁雑になり、作業時間が長引いてしまう。その対策として、各種ＩＤ情報の読み取り順序を、『都度の情報読み取り対象の全パチンコ機のＱＲコード情報』→『同じく全パチンコ機のタグ情報』とする。
【０１７２】
例えば、台番号＃１０１〜台番号＃１０５のパチンコ機について各種ＩＤ情報の読み取りを行う場合、以下の順序にて情報読み取りを実施する。以下は、各パチンコ機の情報読み取り順序であり、同順序が、例えばスキャナ装置６０１の表示部６０１ｂに表示される。『＃１０１のパチンコ機の全ＱＲコード情報』→『＃１０２のパチンコ機の全ＱＲコード情報』…→『＃１０５のパチンコ機の全ＱＲコード情報』…→『＃１０１のパチンコ機のタグ情報』→『＃１０２のパチンコ機のタグ情報』…→『＃１０５のパチンコ機のタグ情報』。
【０１７３】
上記のように遊技ホールＨ側（管理コンピュータ６０２）で読み取られたパチンコ機１０の各種ＩＤ情報は、その日時、メーカ名（又はメーカコード）、機種名（又は機種コード）、台番などのデータと共に、管理コンピュータ６０２内のメモリに格納される。このとき、管理コンピュータ６０２は、各種ＩＤ情報（上記（１）〜（５）の各情報）を解析することで、メーカ名（又はメーカコード）や機種名（又は機種コード）を認識すると良い。かかる場合さらには、管理コンピュータ６０２は、メーカ名（又はメーカコード）や機種名（又は機種コード）の認識後、メーカごと又は機種ごとに各種ＩＤ情報を分別すると良い。ただし、管理者等の入力操作により、同メーカ名（又はメーカコード）や機種名（又は機種コード）を認識する構成であっても良い。
【０１７４】
そしてその後、遊技ホールＨ側（管理コンピュータ６０２）から製造メーカ側（データサーバ７０１）に対して各種ＩＤ情報の送信が行われる。この場合、送信データには、各種ＩＤ情報としての上記（１）〜（５）の読み取り情報に加え、日時、メーカ名（又はメーカコード）、機種名（又は機種コード）、台番などのデータが含まれる。
【０１７５】
製造メーカ側（データサーバ７０１）では、遊技ホールＨ側から受信した各種ＩＤ情報と、登録済みの管理データ（初期登録データ）との照合によりパチンコ機１０の認証が行われる。この場合、各種ＩＤ情報と管理データとが整合し、認証ＯＫとなればその旨の認証結果が遊技ホールＨ側に返信される。また、各種ＩＤ情報と管理データとで不整合などのエラーが生じると、そのエラー情報が遊技ホールＨ側に返信される。エラー内容としては以下の事例が想定される。
・店名や台番などで対応付けたデータ照合においてＩＤ情報と管理データとが不一致となるエラー（データ不一致エラー）。
・製造メーカ側で未採番の製造番号等が付されているエラー（データ矛盾エラー）。
・同一のＩＤ情報が重複して存在するエラー（データ重複エラー）。
・製造メーカ側で認識していない形式のＩＤ情報が付されているエラー（形式違反エラー）。
【０１７６】
遊技ホールＨ側（管理コンピュータ６０２）では、上記のエラー情報を受信すると、そのエラー内容をディスプレイ等に表示する。
【０１７７】
次に、遊技ホールＨ側の管理コンピュータ６０２、及び製造メーカＭ１，Ｍ２，Ｍ３…側のデータサーバ７０１（同サーバの制御部）で各々実行されるパチンコ機管理処理手順について説明する。図２５は、遊技ホールＨ側の管理コンピュータ６０２により実行されるパチンコ機管理処理を示すフローチャートであり、図２６は、各メーカ側のデータサーバ７０１で実行されるパチンコ機管理処理を示すフローチャートである。特に図２５の（ａ）は遊技ホールＨからメーカへのＩＤ情報送信を含む処理であり、同（ｂ）はメーカから遊技ホールＨへの認証結果返信を含む処理である。なお、図２５及び図２６の各処理は、管理コンピュータ６０２又はデータサーバ７０１が管理実行モードとされる状態下で繰り返し実行される。
【０１７８】
本実施形態では、遊技ホールＨにパチンコ機１０を新規に設置する場合（新台入替時、新装開店時など）に当該パチンコ機の認証を行うとともに、パチンコ機稼働開始後においても同パチンコ機の認証を行うことができる構成としている。パチンコ機稼働開始後においては、故障発生等に伴う主制御装置２７１の交換（正規交換）が行われている可能性があり、交換履歴の確認を併せて行うこととしている。なお、主制御装置２７１等の交換が行われる場合には、その都度交換履歴が管理コンピュータ６０２に書き込まれるようになっている。
【０１７９】
ここで、本管理システムでは、遊技ホールＨからメーカへのＩＤ情報送信→メーカでの認証処理→メーカから遊技ホールＨへの認証結果返信の順に処理が進む。故に以下には、図２５の（ａ）→図２６→図２５の（ｂ）の順に各処理を説明する。
【０１８０】
図２５の（ａ）において、まずステップＳ１１では、スキャナ装置６０１から読み取り情報の受付を許可する。これにより、管理者等の操作に伴いスキャナ装置６０１により読み取られた各種ＩＤ情報が管理コンピュータ６０２に取り込まれる。
【０１８１】
その後、ステップＳ１２では、情報読み取り対象となる全パチンコ機について各種ＩＤ情報（具体的には、上記の（１）〜（５）の情報）をすべて取得したか否かを判定する。情報取得が未完であれば、そのまま本処理を一旦終了する。また、情報取得が完了していれば、後続のステップＳ１３に進む。なお、情報読み取り対象となるパチンコ機は、管理者等による管理コンピュータ６０２の入力操作によって定められると良い。
【０１８２】
ステップＳ１３では、今回のパチンコ機認証が新台入替に伴うものか否かを判定する。新台入替に伴うものであれば、ステップＳ１４に進む。ステップＳ１４では、メーカ側のデータサーバ７０１に対して前記取得した各種ＩＤ情報を送信する。このとき、製造メーカが同一であるパチンコ機１０ごとに、又は同一製造メーカごとにメーカ判別データを付加した状態で各種ＩＤ情報を送信する。また、今回認証を行うパチンコ機のメーカ情報（メーカコード）及び機種情報を併せて送信する。
【０１８３】
また、新台入替時でない場合、ステップＳ１５に進み、主制御装置２７１の交換履歴を確認する。交換履歴がなければ（基板交換が行われていなければ）、前述のステップＳ１４に進み、メーカ側のデータサーバ７０１に対して前記取得した各種ＩＤ情報を送信する。これに対し、交換履歴があれば（基板交換が行われていれば）、ステップＳ１６に進み、メーカ側のデータサーバ７０１に対して、交換履歴を反映させて前記取得した各種ＩＤ情報を送信する。
【０１８４】
一方、図２６において、ステップＳ３１では、遊技ホールＨ側から各種ＩＤ情報を受信したか否かを判定する。情報受信した場合、ステップＳ３２に進み、情報受信していない場合、そのまま本処理を終了する。ステップＳ３２では、今回該当する管理データを読み出す。このとき、遊技ホールＨ側からの受信情報に含まれるメーカ情報及び機種情報に対応させて管理データの読み出しを行う。
【０１８５】
その後、ステップＳ３３では、遊技ホールＨ側からの受信情報（パチンコ機のＩＤ情報）と管理データとを照合することにより、所定の認証処理を実施する。このとき、遊技ホールＨ側からの受信情報に主制御装置２７１の交換履歴が含まれていれば、その交換履歴が含まれるパチンコ機については交換履歴を除く識別情報についてデータ照合が行われる。認証結果は、データサーバ７０１において認証履歴として累積的に記憶保持される。なお、次回以降、認証履歴（認証の過去データ）を参照して認証処理を行う構成としても良い。最後に、ステップＳ３４では、認証結果を遊技ホールＨ側に送信する。
【０１８６】
上記ステップＳ３３の認証処理において、認証結果がＮＧ（ＩＤ情報が不整合）となった場合、製造メーカ側から遊技ホールＨに対して再度の情報読み取りを要求する構成としても良い。これにより、仮に情報読み取り時の操作ミス等に起因して認証ＮＧとなった場合において、再度の情報読み取りにより、正しい認証結果が得られるようになる。なお、データ不整合（認証ＮＧ）が所定回数繰り返された場合には、以降、再度の情報読み取りを要求しないようにすると良い。
【０１８７】
また、図２５の（ｂ）において、ステップＳ２１では、メーカ側から認証結果を受信したか否かを判定する。認証結果を受信した場合、ステップＳ２２に進み、認証結果を受信していない場合、そのまま本処理を終了する。ステップＳ２２では、認証結果の記憶及び表示を実施する。
【０１８８】
以上本実施の形態によれば、以下の優れた効果を奏する。
【０１８９】
パチンコ機１０の管理システムとして、遊技ホールＨへのパチンコ機１０の出荷前に、パチンコ機１０ごと又は主制御装置２７１ごとに各種ＩＤ情報を付与してそのＩＤ情報の管理データを作成しておき、同パチンコ機１０の出荷後において、スキャナ装置６０１により読み取った各種ＩＤ情報と、前記管理データとに基づいてパチンコ機１０の管理を実施するようにした。パチンコ機１０の出荷後（ホール納品後）を考えると、その搬送途中や、遊技ホール等の非営業時間帯（夜間、休日など）においてパチンコ機１０に対して主制御装置２７１を不正品に交換するなどの不正行為が行われる可能性がある。この場合、近年の不正行為の高度化に伴い、外観上は何ら変化のない状態で不正行為が行われる（真正品同様、札片も取り付けられた状態とされることが考えられる）。この点本管理システムによれば、出荷前に作成された各種ＩＤ情報の管理データとの比較により真正品の判定が可能となる。したがって、外観上は何ら変化のない状態であっても、真正品か不正品かの判定を正しく行うことができる。その結果、遊技ホールＨにおいて信頼性の高いパチンコ機管理を実施することができる。
【０１９０】
製造メーカをデータ保管機関として定め、製造メーカと遊技ホールＨとの間で各種ＩＤ情報をやり取りしてパチンコ機１０の認証を行うようにした。この場合、各種ＩＤ情報の照合及び認証は製造メーカに委託されるため、その照合及び認証自体を不正に行わせることが抑止できる。また、パチンコ機１０の出荷先である遊技ホールＨ以外で認証のための管理データが保管されるため、管理データ自体に不正が及ぶ懸念が払拭される。したがって、パチンコ機１０の管理の信頼性を高めることができる。
【０１９１】
パチンコ機１０ごとに複数のラベルやシール等を取り付け、それらにより複数のＩＤ情報（上記（１）〜（６）の情報）を付したため、パチンコ機１０の管理の信頼性を高めることができる。つまり、パチンコ機１０ごとに、ラベルやシール等並びにＩＤ情報が複数存在する場合、真正品であると偽ろうとしてもそれが困難なものとなる。したがって、パチンコ機１０が真正品であることの信憑性が高められる。
【０１９２】
各種ＩＤ情報として、複数の情報形態（ＱＲコード情報と電子タグ情報）とを規定したため、ラベルやシール等の偽造を困難なものとすることができる。
【０１９３】
主制御装置２７１の交換履歴の有無を確認するとともに、交換履歴が存在していればその交換履歴データを反映して各種ＩＤ情報の照合を行うようにしたため、主制御装置２７１の正規な交換に伴い管理データの不整合が生じてもそれに好適に対処できる。この場合、主制御装置２７１が正規に交換されたことが反映されず、管理データとの不整合により不正品であると判定されることが回避できる。
【０１９４】
主制御装置２７１は、少なくとも当たり抽選機能と払出管理機能とを有しているため、その主制御装置２７１を対象にして不正行為が行われる可能性が高いと考えられる。かかる場合において、上記のようにパチンコ機１０の管理が適正に行われれば、仮に不正行為が行われたとしてもその不正行為を適正に見つけることが可能となる。
【０１９５】
主制御装置２７１において、主基板２７２を収容するボックスベース２８１とボックスカバー２８２とを跨ぐようにして、ＩＣタグ３３３を有する封印シール３３０を貼り付ける構成としたため、基板ボックス２７３を開封するためには、貼付部２８５，２８６から封印シール３３０を剥がし当該貼付部２８５，２８６のネジ固定を解除する必要がある。この場合に、封印シール３３０をその隅角から剥がしていくと、剥がす力に伴う応力がベースシート３３１の隅角部分に集中する。そして、ベースシート３３１が適度な脆性（封印シール３３０を剥がす力に伴う応力によって一部が破壊される脆性）を有しているので、ベースシート３３１が大きく破壊されることとなる。また、封印シール３３０の外縁に、内側から外側端部に向けて鋭角のＶ字状に開いた外縁切り込み３３７を形成したため、封印シール３３０をその隅角から剥がしていくと、剥がす力に伴う応力が外縁切り込み３３７の内側端部（内側に尖った部位）に集中し、ベースシート３３１の破壊の程度はより大きなものとなる。さらに、封印シール３３０を貼付部２８５，２８６に対して略コ字状に折り曲げて貼り付けたため、封印シール３３０をその隅角から剥がしていくと、剥がす力に伴う応力が折り曲げ部分に集中し、同様にベースシート３３１が大きく破壊されることとなる。この場合、封印シール３３０が不正に剥がされたこと、即ち、主制御装置２７１（主基板２７２）に対して不正が行われたことの痕跡が明確に残ることとなる。
【０１９６】
かかる構成を有する場合、主制御装置２７１（主基板２７２）に対して不正を行おうとする者は、封印シール３３０の一辺全体からその辺に直交する方向に沿って剥がすことで、剥がす力に伴う応力をベースシート３３１の一辺全体に分散させ、ベース部材が極力破壊されないようにする。この点、アンテナ部３３３ｂをその長手方向が封印シール３３０のすべての辺方向と交差するように配置する構成としたため、封印シール３３０をその一辺全体から剥がそうとすると、アンテナ部３３３ｂの長辺方向と交差する方向に破壊が生じる。そして、アンテナ部３３３ｂが長尺状であり、アンテナ部３３３ｂの長手方向と交差する方向の寸法は短くなっていることにより、破壊が生じた位置にてアンテナ部３３３ｂが分断されることとなる。この場合、遊技ホールの管理者等がスキャナ装置によりＩＣチップ３３３ａに格納されたＩＤ情報を確認できなくなるため、主制御装置２７１（主基板２７２）に対して不正が行われたことを容易に且つ確実に発見することができる。
【０１９７】
また、上記のとおり、アンテナ部３３３ｂをベースシート３３１の一隅部側からその対角方向の隅部側に亘って延びるように配置する構成としたため、アンテナ部３３３ｂをベースシート３３１の一辺に沿って設ける構成に比べ、アンテナ部３３３ｂの長さ寸法が大きく確保されている。よって、封印シール３３０が剥がされた場合におけるアンテナ部３３３ｂの分断が生じる機会を多く設けることができる。
【０１９８】
また、ＩＣチップ３３３ａをアンテナ部３３３ｂの長手方向の略中央に配置する構成としたため、上記のとおりアンテナ部３３３ｂが封印シール３３０の一隅部側からその対角方向の隅部側に亘って配置された構成においてはＩＣチップ３３３ａの位置は封印シール３３０の中央付近となる。よって、ＩＣチップ３３３ａの厚みに起因して封印シール３３０が剥がし易くなることを抑制することができる。即ち、ＩＣチップ３３３ａは所定の厚みを有するため、封印シール３３０におけるＩＣチップ３３３ａの周囲と貼付部２８５，２８６との間には隙間が生じることとなる。この場合に、ＩＣチップ３３３ａが封印シール３３０の外縁側にあるとその外縁と貼付部２８５，２８６との隙間に指を掛けることで封印シール３３０が剥がし易くなる。この点、ＩＣチップ３３３ａの位置が封印シール３３０の中央付近であることにより、ＩＣチップ３３３ａの厚みに起因して封印シール３３０の外縁と貼付部２８５，２８６との間に隙間が生じることはない。
【０１９９】
また、ベースシート３３１におけるアンテナ部３３３ｂの周囲にアンテナ用切り込み３３５を形成する構成としたため、封印シール３３０が剥がされた場合にアンテナ用切り込み３３５の端部からベースシート３３１が破壊されるのに伴ってアンテナ部３３３ｂも破壊され、その位置にてアンテナ部３３３ｂが分断されることとなる。よって、アンテナ部３３３ｂが分断され易くなり、主制御装置２７１（主基板２７２）に対して不正が行われた場合の発見をより確実に行うことができる。特に、アンテナ用切り込み３３５をアンテナ部３３３ｂの長手方向及びベースシート３３１のすべての辺方向に対して交差する方向に延びる線状の切り込みとすることにより、封印シール３３０がその一辺に沿う方向に剥がされた場合の剥がす力に伴う応力がアンテナ用切り込み３３５のアンテナ部側端部に集中し易くなる。これにより、封印シール３３０がその一辺に沿う方向に剥がされた場合のアンテナ部３３３ｂの分断をより確実に発生させることができる。なお、アンテナ用切り込み３３５はアンテナ部３３３ｂに達する位置まで形成されているので、封印シール３３０が不正に剥がされた場合にアンテナ部３３３ｂが分断され易い構成となっている。また、アンテナ用切り込み３３５がアンテナ部３３３ｂを挟んで直線上に並ばないように形成されていることにより、例えば、パチンコ機１０の製造時における封印シール３３０の貼り付け作業時などといった不正と関係のない場合にアンテナ部３３３ｂを挟んで位置するアンテナ用切り込み３３５が繋がりそれに伴ってアンテナ部３３３ｂが分断されてしまうことを抑制することができる。
【０２００】
また、封印シール３３０の４隅に、ベースシート３３１の表面側から粘着層３３２の背面側まで貫通するＬ字状の隅側切り込み３３６をそれぞれ形成する構成としたため、封印シール３３０がその隅角側から剥がされた場合には、剥がす力に伴う応力が隅側切り込み３３６の端部に集中し、隅側切り込み３３６から封印シール３３０に破れなどといった破壊が生じる。よって、主制御装置２７１（主基板２７２）に対して不正が行われたことの痕跡が封印シール３３０に残り、当該不正が行われたことを容易に発見することができる。また、当該隅側切り込み３３６を介した封印シール３３０の破壊を回避すべく、封印シール３３０の一辺に沿う方向に当該封印シール３３０が剥がされたとしても、上記のとおりアンテナ部３３３ｂの分断が生じるので不正を容易に発見することができる。
【０２０１】
粘着層３３２を構成する粘着剤に対して溶解性を示す溶媒が封印シール３３０に塗布された場合にベースシート３３１が変色する構成としたため、溶媒により粘着層３３２の接着力を弱めアンテナ部３３３ｂを分断させることなく封印シール３３０を剥がして主制御装置２７１（主基板２７２）に対して不正行為が行われたとしても、当該不正行為が行われたことを容易に発見することができる。また、封印シール３３０に対して所定温度以上の熱が加えられた場合も同様に、ベースシート３３１が変色する構成とすることにより、所定温度以上の熱を加えることにより粘着層３３２の接着力を弱めアンテナ部３３３ｂを分断させることなく封印シール３３０を剥がして主制御装置２７１（主基板２７２）に対して不正行為が行われたとしても、当該不正行為が行われたことを容易に発見することができる。
【０２０２】
［第２の実施の形態］
本実施の形態では、封印シールに関する構成が上記第１の実施の形態と異なっている。そこで、以下にかかる構成について詳細に説明する。なお、以下の説明では、上記第１の実施の形態との相違点を説明し、同一の構成については基本的に説明を省略する。図２７は主制御装置４０１の斜視図、図２８は主制御装置４０１の分解斜視図、図２９は主制御装置４０１に貼り付けられた封印シール４２１周辺を拡大して示す斜視図、図３０は封印シール４２１の背面図、図３１の（ａ）は封印シール４２１周辺を拡大して示す正面図、同（ｂ）は封印シール４２１周辺を拡大して示す側面図、同（ｃ）は封印シール４２１周辺を拡大して示す背面図、図３２は図３１（ａ）のＡ―Ａ線断面図である。
【０２０３】
本実施の形態では、上記第１の実施の形態と同様に主制御装置４０１を備えている。主制御装置４０１は、上記第１の実施の形態における主制御装置２７１と同様に、主基板４０２、ボックスカバー４０３、及びボックスベース４０４を備えている（なお、ボックスカバー４０３又はボックスベース４０４のいずれか一方を第１カバー、他方を第２カバーと称してもよい）。ボックスカバー４０３及びボックスベース４０４は、ポリカーボネート樹脂などといった透明性を有する合成樹脂により形成されている。なお、ボックスカバー４０３及びボックスベース４０４が透明性を有するか否かは任意である。
【０２０４】
ボックスカバー４０３及びボックスベース４０４には、上記第１の実施の形態と同様に５つの封印部材４０３ａ，４０４ａが形成されており、これら封印部材４０３ａ，４０４ａにより封印ユニットＳＹ（いわゆる、カシメ構造）が形成されている。当該封印ユニットＳＹの詳細な構成については上記第１の実施の形態にて説明したとおりである。
【０２０５】
ボックスカバー４０３及びボックスベース４０４には、封印ユニットＳＹが設けられた側部とは反対側の側部に貼付板部４０５，４０６が設けられており、これら貼付板部４０５，４０６が締結具（連結具）としての金属製のネジ４０７，４０８によって締結されている（連結されている）。このように金属製のネジ４０７，４０８によって締結することで、主基板４０２を不正に取り外すべく両貼付板部４０５，４０６を締結する締結具を分断しようとする行為が抑制される。この場合に、かかるネジ４０７，４０８による締結の構成は上記第１の実施の形態と異なっている。
【０２０６】
かかる締結に関する構成について詳細には、各貼付板部４０５，４０６には、それぞれの長辺方向の両端側に各貼付板部４０５，４０６を貫通するようにしてネジ孔４１１ａ，４１１ｂ，４１２ａ，４１２ｂが形成されている。ネジ孔４１１ａとネジ孔４１２ａとはその軸線が同一軸線上に位置するようにして形成されており、これらが連通されて第１ネジ孔４１１が形成されている。一方、ネジ孔４１１ｂとネジ孔４１２ｂとはその軸線が同一軸線上に位置するようにして形成されており、これらが連通されて第２ネジ孔４１２が形成されている。なお、第１ネジ孔４１１及び第２ネジ孔４１２は、各貼付板部４０５，４０６において上下に並んでいる。
【０２０７】
第１ネジ孔４１１には、貼付板部４０５におけるパチンコ機１０後方を向く面４０５ａ（以下、第１貼付面４０５ａともいう）側を段差状に拡径させて頭収容部４１５が形成されている。これに対して、第２ネジ孔４１２には、貼付板部４０６におけるパチンコ機１０前方を向く面４０６ａ（以下、第２貼付面４０６ａともいう）側を段差状に拡径させて頭収容部４１６が形成されている。そして、これら頭収容部４１５，４１６に各ネジ４０７，４０８の頭部４０７ａ，４０８ａが収容されるようにネジ４０７，４０８が螺着されている。つまり、一方のネジ４０７（以下、第１ネジ４０７ともいう）は第１貼付面４０５ａ側から螺着されているのに対して、他方のネジ４０８（以下、第２ネジ４０８ともいう）は第２貼付面４０６ａ側から螺着されている。
【０２０８】
各ネジ４０７，４０８の螺着に際しては、各頭部４０７ａ，４０８ａが各頭収容部４１５，４１６の段差部４１５ａ，４１６ａに当接するまで螺着される。この場合に、各頭部４０７ａ，４０８ａが段差部４１５ａ，４１６ａに当接した状態（すなわち、締結が完了した状態）では、各ネジ４０７，４０８の頭部４０７ａ，４０８ａは開口４１３，４１４（以下、取り外し側開口４１３，４１４ともいう）に対してＸ１の距離だけ内側に位置している。つまり、各頭部４０７ａ，４０８ａの頂上（先端）の位置は各ネジ孔４１１，４１２における軸線方向の途中位置となっている。
【０２０９】
各ネジ４０７，４０８によって締結された貼付板部４０５，４０６には、図２９等に示すように、封印シール４２１が貼り付けられている。この場合に、図２９や図３２等に示すように、各貼付板部４０５，４０６には、その上縁に一連の上側突条４０９ａ，４１０ａが一体形成されており、その下縁にも一連の下側突条４０９ｂ，４１０ｂが一体形成されている。そして、各貼付板部４０５，４０６が締結されていることにより、各上側突条４０９ａ，４１０ａの先端が相互に当接するとともに、各下側突条４０９ｂ，４１０ｂの先端が相互に当接している。また、各貼付板部４０５，４０６はそれぞれボックスカバー４０３の側方端部４３１及びボックスベース４０４の側方端部４３２に対して連続させて形成されており、これら側方端部４３１，４３２はそれぞれ各貼付板部４０５，４０６の基端側の区画壁を構成する。つまり、上側突条４０９ａ，４１０ａ、下側突条４１０ａ，４１０ｂ、及び側方端部４３１，４３２は囲み部Ｃとして機能し、貼付板部４０５，４０６における貼付面４０５ａ，４０５ｂ，４０６ａ，４０６ｂは当該囲み部Ｃによって囲まれている。そして、囲み部Ｃによって囲まれた貼付面４０５ａ，４０５ｂ，４０６ａ，４０６ｂに封印シール４２１が略コ字状に曲げられて貼り付けられている。この場合に、封印シール４２１の周縁は囲み部Ｃに近接している。このように囲み部Ｃが設けられていることにより、封印シール４２１を剥がそうとしても、その剥がし行為が非常に困難なものとなっている。
【０２１０】
封印シール４２１が貼り付けられていることにより当該貼付面４０５ａ，４０６ａのほぼ全域が覆われている。したがって、各ネジ孔４１１，４１２における取り外し側開口４１３，４１４は封印シール４２１によって覆われている。
【０２１１】
封印シール４２１は、上記第１の実施の形態と同様に、矩形状のベースシート４２２と、ベースシート４２２の背面に形成される粘着層４２３と、アンテナ付きのＩＣタグ４２４とを備えている。これらベースシート４２２、粘着層４２３、及びＩＣタグ４２４の基本的な構成は上記第１の実施の形態と同様である。つまり、ベースシート４２２は適度な脆性を有しており、封印シール４２１にはアンテナ用切り込み３３５、隅側切り込み３３６、及び外縁切り込み３３７が形成されている。さらには、ベースシート４２２にはインク塗布部３４１、識別情報部３４２、及び機種情報部３４３が設けられている。なお、図２７，図２９〜図３１においては、これら各種切り込み３３５，３３６，３３７、インク塗布部３４１、及び各種情報部３４１，３４２を省略して示してある。
【０２１２】
ＩＣタグ４２４は、長尺状のアンテナ部４２５を備えており、図３０に示すように、ベースシート４２２の一隅部側からその対角方向の隅部側に亘って斜めに配置されている。また、ＩＣタグ４２４は、矩形状のベースシート４２２の中心に対して点対称となるように配置されている。封印シール４２１の図３０における上部領域Ｒ１は貼付板部４０５の第１貼付面４０５ａに位置し、図３０における中間領域Ｒ２は両貼付板部４０５，４０６の側面側に位置し、図３０における下部領域Ｒ３は貼付板部４０６の第２貼付面４０６ａに位置している。そして、ＩＣタグ４２４が上記のように配置されていることにより、アンテナ部４２５はその両端部４２６ａ，４２６ｂがそれぞれ第１貼付面４０５ａ及び第２貼付面４０６ａに位置している。
【０２１３】
ここで、本実施の形態では、アンテナ部４２５と各ネジ４０７，４０８との位置関係が特徴的なものとなっている。そこで、以下にかかる位置関係について詳細に説明する。
【０２１４】
アンテナ部４２５の両端部４２６ａ，４２６ｂは、図３１等に示すように、第１貼付面４０５ａ及び第２貼付面４０６ａにおいて、各ネジ孔４１１，４１２における取り外し側開口４１３，４１４を跨ぐようにして配置されている。詳細には、アンテナ部４２５の短手方向の寸法は当該開口４１３，４１４の孔径よりも小さくなっており、さらにアンテナ部４２５はその両端部４２６ａ，４２６ｂが取り外し側開口４１３，４１４を挟んで当該開口４１３，４１４の周縁部を架渡すように配置されている。このようにアンテナ部４２５が配置されていることにより、アンテナ部４２５の両端部４２６ａ，４２６ｂは対応するネジ４０７，４０８の頭部４０７ａ，４０８ａと対峙している。
【０２１５】
かかる構成において、上記のとおり、各ネジ４０７，４０８の頭部４０７ａ，４０８ａの頂上の位置は各ネジ孔４１１，４１２における軸線方向の途中位置となっている。すなわち、各ネジ４０７，４０８の頭部４０７ａ，４０８ａの頂上の位置は封印シール４２１に対して各ネジ孔４１１，４１２内に入り込んだ位置となっている。したがって、アンテナ部４２５と各ネジ４０７，４０８とは、図３２に示すように離間されている。また、アンテナ部４２５と各ネジ４０７，４０８との間には両者を介在する介在部材が設けられていない。つまり、アンテナ部４２５と各ネジ４０７，４０８との間には空間Ｓが設けられている。これにより、アンテナ部４２５が各ネジ４０７，４０８に接触することが防止されている。特に、上記のとおりアンテナ部４２５が取り外し側開口４１３，４１４を挟んで当該開口４１３，４１４の周縁部を架渡すように配置されているため、アンテナ部４２５がネジ孔４１１，４１２内に向けて撓みにくくなり、アンテナ部４２５と各ネジ４０７，４０８の頭部４０７ａ，４０８ａとを対峙させた構成において両者を確実に離間させることができる。例えば、アンテナ部４２５が各ネジ４０７，４０８に接触すると設定された共振周波数（本実施の形態では、２．４５ＧＨｚ）が変化してしまい、ＩＣチップ４２７に格納されたＩＤ情報がスキャナ装置によって読み取れなくなるおそれがあるが、本実施の形態における構成によればかかる不都合の発生を防止することができる。
【０２１６】
上記のとおり各貼付板部４０５，４０６には囲み部Ｃが形成されており、封印シール４２１の周縁は囲み部Ｃに近接している。したがって、封印シール４２１の貼り付け作業に際しては、封印シール４２１が囲み部Ｃによって囲まれた領域内からはみ出ないように貼り付けることで、アンテナ部４２５の両端部４２６ａ，４２６ｂが取り外し側開口４１３，４１４を跨ぎ、各ネジ４０７，４０８の頭部４０７ａ，４０８ａと対峙する。また、図３０に示すように、囲み部Ｃによって囲まれる領域は、封印シール４２１の面積よりも広くなっている。これにより、封印シール４２１の貼り付け作業に際しては、貼り付け位置に所定のゆとりが生まれ、貼り付け作業の作業性が向上されている。この場合に、その貼り付け位置のゆとりは、アンテナ部４２５の両端部４２６ａ，４２６ｂが取り外し側開口４１３，４１４を跨ぎ、且つ各ネジ４０７，４０８の頭部４０７ａ，４０８ａと対峙する範囲内で形成されている。さらに、上記のとおりＩＣタグ４２４は矩形状のベースシート４２２の中心に対して点対称となるように配置されているため、封印シール４２１を上下逆に貼り付けたとしても、アンテナ部４２５の両端部４２６ａ，４２６ｂが取り外し側開口４１３，４１４を跨ぎ、且つ各ネジ４０７，４０８の頭部４０７ａ，４０８ａと対峙する。
【０２１７】
以上詳述した本実施の形態によれば、以下の優れた効果を奏する。
【０２１８】
各ネジ４０７，４０８における頭部４０７ａ，４０８ａの頂上の位置が各ネジ孔４１１，４１２の軸線方向の途中位置、すなわち、各頭部４０７ａ，４０８ａの頂上の位置が封印シール４２１に対して各ネジ孔４１１，４１２内に入り込んだ位置（各ネジ孔４１１，４１２におけるネジ取り付け方向側に入り込んだ位置）となるように構成した。これにより、アンテナ部４２５と各ネジ４０７，４０８とを離間させることができ、不正が行われていない場合におけるスキャナ装置へのＩＤ情報の送信を確実に行うことができる。金属製のネジ４０７，４０８とアンテナ部４２５とが接触しているとアンテナ部４２５に対して設定された共振周波数が変化してしまい、スキャナ装置へのＩＤ情報の送信が阻害されてしまうからである。そして、この場合、不正が行われていないにも関わらず識別情報を読み取ることができなくなり、結果的に封印シール４２１にＩＣタグ４２４を設けた効果を得ることができなくなってしまう。これに対して、上記のとおりアンテナ部４２５と各ネジ４０７，４０８とを離間させることで、封印シール４２１にＩＣタグ４２４を設けた効果を確実に得ることができる。
【０２１９】
アンテナ部４２５を、各ネジ孔４１１，４１２における取り外し側開口４１３，４１４を跨ぐようにして配置した。これにより、アンテナ部４２５が各ネジ孔４１１，４１２内に向けて撓みにくくなり、アンテナ部４２５と各ネジ４０７，４０８の頭部４０７ａ，４０８ａとを対峙させた構成において両者を確実に離間させることができる。
【０２２０】
また、上記のとおり各ネジ４０７，４０８における頭部４０７ａ，４０８ａの頂上の位置が各ネジ孔４１１，４１２の軸線方向の途中位置となるよう構成するとともに、アンテナ部４２５の両端部４２６ａ，４２６ｂが各ネジ孔４１１，４１２における取り外し側開口４１３，４１４を跨ぐようにしてアンテナ部４２５を配置した。これにより、アンテナ部４２５と各ネジ４０７，４０８とを離間させた構成において、アンテナ部４２５を各ネジ４０７，４０８の頭部４０７ａ，４０８ａと対峙させることができる。したがって、各ネジ４０７，４０８を取り外すべく各頭部４０７ａ，４０８ａを露出させるように封印シール４２１を巧妙に剥がそうとしたとしても、そのためには封印シール４２１におけるアンテナ部４２５が配置された部分を剥がす必要が生じる。そして、かかる場合、アンテナ部４２５が分断されスキャナ装置によりＩＤ情報が確認できなくなることで、主基板４０２に対して不正が行われたことを確実に発見することができる。
【０２２１】
アンテナ部４２５の短手方向の寸法を各ネジ孔４１１，４１２における取り外し側開口４１３，４１４の孔径よりも小さくするとともに、アンテナ部４２５を取り外し側開口４１３，４１４を挟んで当該開口４１３，４１４の周縁部を架渡すようにして配置した。これにより、封印シール４２１を剥がす場合にはアンテナ部４２５における取り外し側開口４１３，４１４の周縁部に対応する位置に封印シール４２１を剥がす力に伴う応力が集中し易くなる。よって、アンテナ部４２５の分断が生じる機会を多く設けることができ、主基板４０２に対して不正が行われたことを確実に発見することができる。
【０２２２】
また、アンテナ部４２５と各ネジ４０７，４０８の頭部４０７ａ，４０８ａとの間には、両者を介在する介在部材を不具備とした。すなわち、アンテナ部４２５と各ネジ４０７，４０８の頭部４０７ａ，４０８ａとの間には所定の空間Ｓが形成されている。また、各ネジ孔４１１，４１２における取り外し側開口４１３，４１４を覆うようにして封印シール４２１が貼り付けられているとともに、上記のとおり開口４１３，４１４を挟んで当該開口４１３，４１４の周縁部を架渡すようにしてアンテナ部４２５が配置されている。これにより、不正に各ネジ４０７，４０８の締結を解除すべく封印シール４２１を剥がして各ネジ４０７，４０８の頭部４０７ａ，４０８ａを露出させようとする場合において、アンテナ部４２５の分断が生じる機会を多く設けることができる。つまり、封印シール４２１は取り外し側開口４１３，４１４の周縁部を境界として貼付板部４０５，４０６に貼り付けられた部分と貼り付けられていない部分とが存在し、これはアンテナ部４２５においても同様である。この場合に、各ネジ４０７，４０８の頭部４０７ａ，４０８ａを露出させようとして封印シール４２１を剥がすと、アンテナ部４２５（封印シール４２１）における貼付板部４０５，４０６に貼り付けられた部分と貼り付けられていない部分との境界に封印シール４２１を剥がす力に伴う応力が集中し易くなるからである。よって、主基板４０２に対して不正が行われたことを確実に発見することができる。
【０２２３】
第１ネジ４０７をパチンコ機１０後方を向く第１貼付面４０５ａ側から螺着するようにしたのに対して、第２ネジ４０８をパチンコ機１０前方を向く第２貼付面４０６ａ側から螺着するようにした。そして、これら各ネジ４０７，４０８の頭部４０７ａ，４０８ａを覆うようにして封印シール４２１を貼り付けるとともに、アンテナ部４２５をその両端部４２６ａ，４２６ｂがそれぞれ第１貼付面４０５ａ及び第２貼付面４０６ａに位置するようにして配置した。よって、不正に各ネジ４０７，４０８の締結を解除する作業を煩雑なものとすることができ、さらにはかかる不正な解除作業に際してベースシート４２２の破壊、及びアンテナ部４２５の分断が生じる機会を多く設けることができる。第１ネジ４０７の頭部４０７ａ又は第２ネジ４０８の頭部４０８ａのいずれか一方を露出させることができたとしても、他方を露出させる必要があるからである。
【０２２４】
また、例えば、第１ネジ４０７の頭部４０７ａ及び第２ネジ４０８の頭部４０８ａのいずれもが、両貼付板部４０５，４０６の境界に対して同一方向に位置する構成においては、たとえ両貼付板部４０５，４０６の境界を跨ぐようにして封印シール４２１を貼り付け、さらに第１貼付面４０５ａ及び第２貼付面４０６ａに位置するようにしてアンテナ部４２５を配置していたとしても、当該封印シール４２１における両ネジ４０７，４０８の取り外し方向側の部分を剥がすだけで、すなわち、封印シールをすべて剥がすことなく、頭部４０７ａ，４０８ａを露出させることができてしまう。この場合、上記のように封印シール４２１を貼り付け、さらに上記のようにアンテナ部４２５を配置した効果が好適に発揮されなくなってしまう。これに対して、本実施の形態における構成によれば上記のとおりであるので、当該効果が好適に発揮される。
【０２２５】
また、アンテナ部４２５を、第１ネジ４０７及び第２ネジ４０８の両方の頭部４０７ａ，４０８ａと対峙するようにして配置した。これにより、不正に各ネジ４０７，４０８の締結が解除される場合においてアンテナ部４２５の分断が生じる機会を多く設けることができる。よって、主基板４０２に対して不正が行われたことを確実に発見することができる。
【０２２６】
アンテナ部４２５をベースシート４２２の中心に対して点対称となるようにして配置した。これにより、封印シール４２１を１８０°回転させて貼付面４０５ａ，４０５ｂ，４０６ａ，４０６ｂに当該封印シール４２１を貼り付けたとしても、第１ネジ４０７の頭部４０７ａ及び第２ネジ４０８の頭部４０８ａに対してアンテナ部４２５を対峙させることができる。よって、両ネジ４０７，４０８の頭部４０７ａ，４０８ａに対してアンテナ部４２５を対峙させるようにした構成において、封印シール４２１を貼り付ける場合の作業性を向上させることができる。特に、上記のように囲い部Ｃが設けられており、さらに封印シール４２１が矩形状に形成されていることにより、封印シール４２１の貼り付け作業を行う作業者にとっては、貼付面４０５ａ，４０５ｂ，４０６ａ，４０６ｂからはみ出ないように封印シール４２１を貼り付けるだけで両ネジ４０７，４０８の頭部４０７ａ，４０８ａに対してアンテナ部４２５を対峙させることができ、封印シール４２１を貼り付ける場合のさらなる作業性向上を図ることができる。
【０２２７】
貼付面４０５ａ，４０５ｂ，４０６ａ，４０６ｂを囲むようにして囲い部Ｃを設けた。そして、当該囲い部Ｃは封印シール４２１の周縁と近接している。これにより、封印シール４２１を貼り付ける場合には囲い部Ｃにより囲まれた領域内に封印シール４２１を持っていけばよく、封印シール４２１を貼り付ける場合の作業性を向上させることができる。また、主基板４０２に対して不正を行うべく封印シール４２１を剥がそうとしても、封印シール４２１は囲い部Ｃに囲まれているためにその剥がし行為が非常に困難なものとなる。したがって、当該剥がし行為に際してベースシート４２２が破壊され易くなり、さらにはアンテナ部４２５が分断され易くなる。よって、主基板４０２に対して不正が行われたことを確実に発見することができる。さらには、囲い部Ｃがガイド手段としての機能と封印シール４２１の剥がし行為を困難なものとする機能とを併せ持つこととなり、構成の簡素化を図りつつ上記効果を奏することができる。
【０２２８】
貼付面４０５ａ，４０５ｂ，４０６ａ，４０６ｂに封印シール４２１を貼り付ける場合にアンテナ部４２５が各ネジ４０７，４０８の頭部４０７ａ，４０８ａと対峙する位置から外れない範囲内で、貼付面４０５ａ，４０５ｂ，４０６ａ，４０６ｂが封印シール４２１の面積よりも広くなるように囲い部Ｃを形成した。これにより、封印シール４２１を貼付面４０５ａ，４０５ｂ，４０６ａ，４０６ｂに貼り付ける場合の貼付位置にゆとりが生まれ、囲い部Ｃを設けた構成において封印シール４２１を貼り付ける場合の作業性を向上させることができる。
【０２２９】
なお、本実施の形態においては上記第１の実施の形態と共通の構成を備えるが、かかる共通の構成により奏する効果は本実施の形態においても得られるのは言うまでもない。
【０２３０】
[第３の実施の形態]
本実施の形態におけるパチンコ機管理システムでは、上記第１の実施の形態と同様に、管理対象となる各パチンコ機１０に各種のＩＤ情報が付されている。また、多数のパチンコ機１０が設置された遊技ホールＨには、スキャナ装置６０１及び管理コンピュータ６０２が設けられている（図２４参照）。スキャナ装置６０１により読み取られた各種のＩＤ情報は管理コンピュータ６０２にて収集され、その収集したＩＤ情報が各製造メーカＭ１，Ｍ２，Ｍ３・・・のデータサーバ７０１に送信される。各製造メーカＭ１，Ｍ２，Ｍ３・・・のデータサーバ７０１では、受信したＩＤ情報の認証処理を実行し、管理コンピュータ６０２に対して認証結果を返信する。当該管理システムにおいて、本実施の形態ではスキャナ装置６０１の構成や、管理コンピュータ６０２及びデータサーバ７０１にて実行される処理構成等が上記第１の実施の形態と異なっている。そこで、以下に各構成について説明する。
【０２３１】
先ず、各パチンコ機１０に付された各種のＩＤ情報についてあらためて以下に記述する。
（１）遊技盤用の証紙ラベル５５に記された遊技盤ＩＤ情報…同ラベル５５は遊技盤３０に貼付され、遊技盤３０の製造メーカ名（例えば、（株）××物産）、遊技盤３０の製造番号（例えば、No.１２３４５６７）、及び遊技盤ＩＤ情報用のＱＲコードが記されている。
（２）枠用の証紙ラベル２４５に記された枠ＩＤ情報…同ラベル２４５は本体枠１２に貼付され、本体枠１２の製造メーカ名（例えば、（株）××物産）、本体枠１２の製造番号（例えば、No.ＡＢＣＤＥＦＧ）、及び枠ＩＤ情報用のＱＲコードが記されている。
（３）識別シール３４５に記された主基板ＩＤ情報…識別シール３４５は主制御装置２７１の基板ボックス２７３に貼付され、製造メーカコード（例えば、ＳＹ−Ｆ）、主制御装置２７１の製造番号（例えば、No.１２３４ＡＢＣ）、及び主基板ＩＤ情報用のＱＲコードが記されている。
（４）識別シール３４６に記されたパチンコ機ＩＤ情報…識別シール３４６は主制御装置２７１の基板ボックス２７３に貼付され、製造メーカ名（例えば、（株）××物産）、機種名（例えば、××物語）、機種コード（例えば、１２３４５Ａ）、及びパチンコ機ＩＤ情報用のＱＲコードが記されている。
（５）ＩＣタグ３３３のタグＩＤ情報…ＩＣタグ３３３は主制御装置２７１の封印シール３３０に組み付けられ、タグＩＤ情報が格納されている。
【０２３２】
なお、上記（１）〜（５）のＩＤ情報の他に上記第１の実施の形態と同様のチップＩＤ情報も付されているが、これについては説明を省略する。ちなみに、上記（１）〜（３）のラベル又はシールに付された各製造番号の一部又は全てを同一としてもよい。後述する板替え時には、遊技盤３０と主制御装置２７１とがセットで交換されるため、上記（１）と上記（３）との各製造番号を同一としても支障は生じない。
【０２３３】
ここで、上記各ＱＲコードに記憶された各ＩＤ情報、及びＩＣタグ３３３に記憶されたＩＤ情報は、アルファベットと数字とからなる識別番号として構成されている。この識別番号として構成されたＩＤ情報を図３３に示す。
【０２３４】
図３３（ａ），（ｂ）に示すように、第１識別部、第２識別部、及び第３識別部が設定されており、識別番号においてはこれら各識別部がハイフン（「−」）により区画されている。第１識別部には製造メーカの情報が付されている。つまり、図３３（ａ）の製造メーカＭ１の各ＩＤ情報に示すように、各ＩＤ情報の第１識別部には全て「Ｍ１」が付されている。また、図３３（ｂ）の製造メーカＭ２の各ＩＤ情報に示すように、各ＩＤ情報の第１識別部には全て「Ｍ２」が付されている。
【０２３５】
第２識別部には、ＩＤ情報の種別が付されている。つまり、図３３（ａ），（ｂ）に示すように、各遊技盤ＩＤ情報の第２識別部には共に「１」が付されており、各枠ＩＤ情報の第２識別部には共に「２」が付されており、各主基板ＩＤ情報の第２識別部には共に「３」が付されており、各パチンコ機ＩＤ情報の第２識別部には共に「４」が付されており、各タグＩＤ情報の第２識別部には共に「５」が付されている。
【０２３６】
第３識別部には、製造番号等に関連した各製造メーカにおけるパチンコ機１０固有の番号が付されている。したがって、一のパチンコ機１０における各種ＩＤ情報の第３識別部には、基本的に全て同一の番号が付されている。つまり、図３３（ａ）に示すように、各ＩＤ情報の第３識別部には全て「００１」が付されている。
【０２３７】
以上のように、各ＩＤ情報が第１識別、第２識別部、及び第３識別部によって構成されていることにより、各ＩＤ情報を固有なものとしつつ、管理コンピュータ６０２やデータサーバ７０１において統計的に各ＩＤ情報を処理することが可能となる。これら管理コンピュータ６０２やデータサーバ７０１における処理については後に説明する。
【０２３８】
次に、スキャナ装置６０１について図３４の概略図を用いて説明する。
【０２３９】
スキャナ装置６０１は、その内部にＣＰＵ６０１ｃを備えている。ＣＰＵ６０１ｃには、当該ＣＰＵ６０１ｃにより実行される各種の制御プログラムや固定値データを記憶したＲＯＭ６０１ｄと、そのＲＯＭ６０１ｄ内に記憶される制御プログラムの実行に際して各種の演算データや読み込んだＩＤ情報等を一時的に記憶するためのメモリであるＲＡＭ６０１ｅが内蔵されている。
【０２４０】
スキャナ装置６０１には、上記第１の実施の形態と同様に、各種ボタン類よりなり管理者等が入力操作を行う操作部６０１ａと、液晶画面等よりなる表示部６０１ｂとが設けられている。操作部６０１ａにはパチンコ機１０の台番号等を入力するためのテンキーが設けられている。また、テンキー以外にも、一のパチンコ機１０に付された各種ＩＤ情報の読み取りを開始する際に操作される読み取り開始ボタン、一のパチンコ機１０に付された各種ＩＤ情報の読み取りを終了した際に操作される読み取り終了ボタン、ＲＡＭ６０１ｅに記憶されたＩＤ情報を呼び出すための呼び出しボタン、ＲＡＭ６０１ｅに記憶されたＩＤ情報を消去するための消去ボタン、ＲＡＭ６０１ｅに記憶されたＩＤ情報を管理コンピュータ６０２に出力するための出力ボタンなどが設けられている。そして、操作部６０１ａはＣＰＵ６０１ｃに接続されており、操作部６０１ａにおける各種操作はＣＰＵ６０１ｃにて入力され当該ＣＰＵ６０１ｃではその入力に基づき各種処理を行う。
【０２４１】
表示部６０１ｂもＣＰＵ６０１に接続されており、ＣＰＵ６０１ｃの制御に基づいて上記第１の実施の形態にて説明した情報読み取り順序の指定が行われる。この場合に、情報読み取り順序の指定は、操作部６０１ａの読み取り開始ボタンが操作されることで開始される。また、操作部６０１ａの呼び出しボタンが操作されることでＲＡＭ６０１ｅに記憶されたＩＤ情報が表示される。
【０２４２】
スキャナ装置６０１には、ＱＲコード用回路６０１ｆ及びＱＲコード読み取り部６０１ｇが設けられており、さらにはタグ情報用回路６０１ｈ及びタグ情報読み取り部６０１ｉが設けられている。ＱＲコード用回路６０１ｆ及びＱＲコード読み取り部６０１ｇによりＱＲコード読み取り機能が果たされる。つまり、ＱＲコード用回路６０１ｆは、ＣＰＵ６０１ｃに接続されており、ＣＰＵ６０１ｃから読み取り開始信号を入力することで、ＱＲコード読み取り部６０１ｇにデータ読み取り開始を許可する。この場合に、ＱＲコードの読み取りは、上記のラベルにＱＲコード読み取り部６０１ｇを近接させて非接触の状態で行われる。そして、ＱＲコード読み取り部６０１ｇが読み取ったＩＤ情報は、ＱＲコード用回路６０１ｆを介してＣＰＵ６０１ｃに出力されＲＡＭ６０１ｅにて記憶される。
【０２４３】
また、タグ情報用回路６０１ｈ及びタグ情報読み取り部６０１ｉによりタグ情報読み取り機能が果たされる。つまり、タグ情報用回路６０１ｈは、ＣＰＵ６０１ｃに接続されており、ＣＰＵ６０１ｃから読み取り開始信号を入力することで、タグ情報読み取り部６０１ｉにデータ読み取り開始を許可する。この場合に、タグ情報の読み取りは、上記のシールにタグ情報読み取り部６０１ｉを近接させて非接触の状態で行われる。そして、上述したＩＣタグ３３３からタグ情報読み取り部６０１ｉが読み取ったＩＤ情報は、タグ情報用回路６０１ｈを介してＣＰＵ６０１ｃに出力されＲＡＭ６０１ｅにて記憶される。
【０２４４】
スキャナ装置６０１には、信号送受信機能を備えた出力部６０１ｊが設けられている。出力部６０１ｊは、ＣＰＵ６０１ｃに接続されており、操作部６０１ａの出力ボタンが操作されることに基づいてＲＡＭ６０１ｅに記憶されたＩＤ情報が出力部６０１ｊから管理コンピュータ６０２に出力される。ＩＤ情報の出力は、赤外線等を用いた無線通信により行われ、出力部６０１ｊを管理コンピュータ６０２に近接させることで非接触の状態で行われる。但し、このＩＤ情報の出力は上記態様に限定されることはなく、無線ＬＡＮや有線通信を用いて行ってもよい。
【０２４５】
出力部６０１ｊから出力され管理コンピュータ６０２にて入力されたＩＤ情報は、ＲＡＭ６０１ｅから自動的に消去される。この自動的に消去する構成としては、管理コンピュータ６０２が正確に入力したＩＤ情報について確認信号をスキャナ装置６０１に出力し、スキャナ装置６０１では入力した確認信号に対応したＩＤ情報をＲＡＭ６０１ｅから消去する構成が考えられる。
【０２４６】
以上の構成のスキャナ装置６０１におけるＩＤ情報の読み取りの流れを簡単に説明する。所定のパチンコ機１０に付された各種ＩＤ情報の読み取りを開始する際には、先ず読み取り開始ボタンを入力する。これにより、ＱＲコード読み取り部６０１ｇ及びタグ情報読み取り部６０１ｉが読み取り可能状態となる。また、表示部６０１ｂでは、台番号の入力を促す表示がなされる。作業者は読み取りを開始するパチンコ機１０の台番号をテンキーにより入力する。この入力された台番号は、ＲＡＭ６０１ｅに記憶される。
【０２４７】
その後、表示部６０１ｂにて上記第１の実施の形態において説明した情報読み取り順序の指定が表示される。作業者は上記（１）〜（５）の各種ＩＤ情報をこの順序で読み取る。この読み取られたＩＤ情報は先に入力した台番号に対応させてＲＡＭ６０１ｅに記憶される。なお、読み取りの順序を間違えた場合などは、呼び出しボタンを操作することで間違えたＩＤ情報を呼び出し、消去ボタンを操作することでそのＩＤ情報を消去することが可能である。
【０２４８】
その後、一のパチンコ機１０に付された上記（１）〜（５）の全てのＩＤ情報を読み取った場合には、読み取り終了ボタンを操作する。これにより、ＱＲコード読み取り部６０１ｇ及びタグ情報読み取り部６０１ｉが読み取り不可状態となる。そして、以上のＩＤ情報の読み取りを複数のパチンコ機１０に対して行った後に、管理コンピュータ６０２にスキャナ装置６０１を近接させて出力ボタンを操作する。これにより、管理コンピュータ６０２に対してＲＡＭ６０１ｅに記憶された全てのＩＤ情報がまとめて出力される。
【０２４９】
次に、遊技ホールＨの管理コンピュータ６０２について説明する。
【０２５０】
管理コンピュータ６０２は、パチンコ機１０の管理プログラムを有する電子演算装置であり、その内部にＣＰＵを備えている。ＣＰＵには、当該ＣＰＵにより実行される各種の制御プログラムや固定値データを記憶したＲＯＭ、及びそのＲＯＭ内に記憶される制御プログラムの実行に際して各種のデータやスキャナ装置６０１から入力したＩＤ情報等を一時的に記憶するためのメモリであるＲＡＭが内蔵されている。また、遊技ホールＨの管理者等によって操作される操作部が設けられている。当該操作部に設けられた開始ボタンの操作に基づいてＣＰＵにおいてパチンコ機管理処理が実行される。以下に、図３５に示すフローチャートを用いて遊技ホール側のパチンコ機管理処理を説明する。なお、当該パチンコ機管理処理は、管理実行状態下で繰り返し実行される。
【０２５１】
図３５において、先ずステップＳ１０１では、管理コンピュータ６０２の操作部に設けられた開始ボタンが操作されたか否かを判定する。操作されていない場合には、そのまま本処理を終了する。操作されている場合には、ステップＳ１０２にてスキャナ装置６０１のＲＡＭ６０１ｅに記憶されている全てのＩＤ情報を入力したか否かを判定する。
【０２５２】
この判定は、スキャナ装置６０１から出力完了信号を入力したか否かを判定することにより行われる。つまり、スキャナ装置６０１のＣＰＵ６０１ｃでは、出力部６０１ｊからのＩＤ情報の出力に際して、ＲＡＭ６０１ｅに記憶された全てのＩＤ情報が出力されたか否かを判定し、記憶された全てのＩＤ情報が出力されたと判定した場合に、出力部６０１ｊから出力完了信号を出力する。
【０２５３】
ステップＳ１０２にて情報取得が未完であれば否定判定をし、再度ステップＳ１０２の処理を行う。その後、情報取得が完了することで肯定判定をし、ステップＳ１０３に進む。ステップＳ１０３では、取得したＩＤ情報を分類し認証用情報を作成する分類処理を行う。
【０２５４】
分類処理について図３６を用いて説明する。管理コンピュータ６０２がスキャナ装置６０１からＩＤ情報を入力した段階では、管理コンピュータ６０２のＲＡＭにはスキャナ装置６０１にて情報を読み取った順序でＩＤ情報が記憶されている。そこで、分類処理では、最初に第１分類処理として各パチンコ機１０に対して設定された台番号に対応させて各ＩＤ情報を分類する。
【０２５５】
詳細には、スキャナ装置６０１から入力したＩＤ情報は台番号に対応させて記憶されているため、その台番号を識別して一のリスト番号に対して一の台番号を設定する。また、スキャナ装置６０１から入力したＩＤ情報は、一の台番号に対応させて５つのＩＤ情報が存在する。そこで、これらＩＤ情報を一のリスト番号に対応させて分類する。この場合に、スキャナ装置６０１では上述した通り所定の順序でＩＤ情報が読み取られる。したがって、入力した順序で５つのＩＤ情報を並べることで上記（１）〜（５）の順序となる。以上の第１分類処理が行われることで、図３６（ａ）に示すように台番号に対応させてＩＤ情報をまとめることができる。
【０２５６】
第１分類処理を行った後は、第２分類処理として台番号毎にまとめた各ＩＤ情報を製造メーカ毎に分類する。詳細には、各ＩＤ情報には、上述したとおり、第１識別部としてメーカ情報が付されている。そこで、第２分類処理では、この第１識別部の情報から製造メーカを識別し、製造メーカ毎に分類する。この場合に、本実施の形態では、台番号毎にまとめた各ＩＤ情報のうちの遊技盤ＩＤ情報の第１識別部を識別し、製造メーカ毎に分類する。なお、どのＩＤ情報を用いて製造メーカを分類するかは任意である。以上の第２分類処理が行われることで、第１分類処理にて台番号に対応させてまとめたＩＤ情報を、図３６（ｂ）及び図３６（ｃ）に示すように製造メーカ毎に分類することができる。特に、図３６（ａ）に示すように、台番号に対して複数の製造メーカのパチンコ機１０が交互に設置されている場合には、第１識別部の情報から製造メーカを識別することで、製造メーカの分類を容易に行うことができる。以上の分類処理にて作成された図３６（ｂ）や図３６（ｃ）に示す情報が認証用情報に該当する。
【０２５７】
ステップＳ１０３の分類処理を行った後は、ステップＳ１０４〜ステップＳ１０７のモード判定処理を実行する。モードについて説明すると、本実施の形態におけるパチンコ機管理システムでは、パチンコ機１０等が真正品であるか否かなどの認証を行うタイミングが複数パターン存在する。そのタイミングとしては、パチンコ機１０の新規設置時（遊技ホールの新規開店時、及び新台の入替時）、遊技盤３０と第１制御基板ユニット２０１と表示制御装置２１４との組合せからなる板替えユニットの交換時、主制御装置２７１の交換時、本体枠１２や遊技盤３０等の中古品との交換時、及びパチンコ機１０の稼働開始後における定期又は不定期のチェック時がある。そして、各タイミングに対応させて認証モードが設定されている。つまり、新規設置時には新台入替モード（新規開店モードも含む）で認証が行われ、板替えユニットの交換時には板替えモードで認証が行われ、主制御装置２７１の交換時には基板替えモードで認証が行われ、中古品との交換時には中古替えモードで認証が行われ、定期又は不定期のチェック時にはチェックモードで認証が行われる。ちなみに、板替えユニットの交換は、本体枠１２や前扉枠１３は既存のものを使用しつつ、パチンコ機１０の機種交換をする場合に行われる。
【０２５８】
管理コンピュータ６０２の操作部には、各モードに対応させてモード選択用ボタンが設けられており、上述した開始ボタンの操作に際してモード選択用ボタンが操作される。したがって、ステップＳ１０４〜ステップＳ１０７のモード判定処理では、開始ボタンの操作に際して何れのモード選択用ボタンが操作されたか否かを判定する。そして、新台入替モードの場合にはステップＳ１０４にて肯定判定をし、板替えモードの場合にはステップＳ１０５にて肯定判定をし、基板替えモードの場合にはステップＳ１１０にて肯定判定をし、中古替えモードの場合にはステップＳ１１１にて肯定判定をし、チェックモードの場合にはステップＳ１０４〜ステップＳ１０７の全てで否定判定をする。
【０２５９】
その後、ステップＳ１０８〜ステップＳ１１２の情報送信処理にて、分類処理において作成した各認証用情報を対応する製造メーカに送信する。この場合、新台入替モードの場合にはステップＳ１０８にて新台入替モードの情報を反映させた状態で認証用情報を送信し、板替えモードの場合にはステップＳ１０９にて板替えモードの情報を反映させた状態で認証用情報を送信し、基板替えモードの場合にはステップＳ１１０にて基板替えモードの情報を反映させた状態で認証用情報を送信し、中古替えモードの場合にはステップＳ１１１にて中古替えモードの情報を反映させた状態で認証用情報を送信し、チェックモードの場合にはステップＳ１１２にてチェックモードの情報を反映させた状態で認証用情報を送信する。また、上記各情報送信処理では、遊技ホール情報も反映させた状態で認証用情報を送信する。これらステップＳ１０８〜ステップＳ１１２の何れかの処理を行った後に、パチンコ機管理処理を終了する。
【０２６０】
次に、製造メーカＭのデータサーバ７０１について説明する。なお、以下の説明では、製造メーカＭ１のデータサーバ７０１について説明するが、他の製造メーカについても同様である。
【０２６１】
データサーバ７０１は、各遊技ホールＨ１，Ｈ２・・・に設けられたパチンコ機１０の管理プログラムを有する電子演算装置であり、その内部にＣＰＵを備えている。ＣＰＵには、当該ＣＰＵにより実行される各種の制御プログラムや固定値データを記憶したＲＯＭ、及びそのＲＯＭ内に記憶される制御プログラムの実行に際して各種のデータや管理コンピュータ６０２から入力したＩＤ情報等を一時的に記憶するためのメモリであるＲＡＭが内蔵されている。この場合、ＲＯＭには管理データが記憶保持されている。この管理データを図３７に示す。管理データには、図３７に示すように、（ｉ）基準データ、（ｉｉ）板替えデータ、（ｉｉｉ）基板替えデータがある。
【０２６２】
（ｉ）基準データは、管理コンピュータ６０２から受信した認証用情報の認証に際して基準となるデータである。基準データは、基本的にパチンコ機１０の出荷前に登録され記憶保持される。但し、前記板替えユニットの交換や主制御装置２７１の交換等に際して適宜更新される。基準データには、各パチンコ機１０に付された上記（１）〜（５）の各ＩＤ情報が、出荷先の遊技ホール名（店名）、その遊技ホールＨにおける台番号、及び認証が完了しているか否かの情報と共に記憶されている。ちなみに、図３７では、遊技ホールＨ１の基準データは認証が未完の状態を示し、遊技ホールＨ２の基準データは認証が完了した状態を示す。
【０２６３】
（ｉｉ）板替えデータは、前記板替えユニットの出荷前に登録され記憶保持される。つまり、遊技ホールＨにおいては上記のとおり板替えが行われることがある。この場合に、板替えデータを記憶保持しておくことで、遊技ホールＨに到着した前記板替えユニットが真正品であるか否かなどの認証を行うことができ、搬送途中において当該板替えユニットが不正品に差し替えられたりしても、その不正品の判定が可能となる。板替えデータには、板替えユニットを構成する遊技盤３０及び主制御装置２７１に付された上記（１），（３）〜（５）の各ＩＤ情報が、出荷先の遊技ホール名（店名）、その遊技ホールＨにおける交換対象の台番号、及び認証が完了しているか否かの情報と共に記憶されている。ちなみに、図３７では、板替えデータの認証が未完の状態を示す。また、この板替えデータを用いて基準データが更新される。これについては後に説明する。
【０２６４】
（ｉｉｉ）基板替えデータは、主制御装置２７１の出荷前に登録され記憶保持される。つまり、遊技ホールＨにおいては、主制御装置２７１に対する不正が想定される。この不正としては、主制御装置２７１の不正な制御装置への交換や、主基板２７２の不正な基板への交換や、主基板２７２に設けられたマイコンチップ２７５の不正なチップへの交換等がある。このような不正行為が行われた場合には、主制御装置２７１を真正品に交換する必要が生じる。この場合、製造メーカＭ１においては主制御装置２７１のみを出荷するため、基板替えデータを記憶保持しておくことで、遊技ホールＨに到着した主制御装置２７１が真正品であるか否かなどの認証を行うことができ、搬送途中において主制御装置２７１が不正品に差し替えられたりしても、その不正品の判定が可能となる。
【０２６５】
基板替えデータには、主制御装置２７１に付された上記（３）〜（５）の各ＩＤ情報が、出荷先の遊技ホール名（店名）、その遊技ホールＨにおける交換対象の台番号、及び認証が完了しているか否かの情報と共に記憶されている。ちなみに、図３７では、基板替えデータの認証が未完の状態を示す。また、この基板替えデータを用いて基準データが更新される。これについては後に説明する。
【０２６６】
なお、遊技ホールＨにおいては主制御装置２７１の基板ボックス２７３を開封し主基板２７２の点検などといったメンテナンスを行う場合があり、メンテナンス後はその主制御装置２７１が再度使用される。この場合、封印シール３３０は剥がされ、ＩＣタグ３３３のアンテナ部３３３ｂは分断されるため、その基板ボックス２７３に対して新たな封印シール３３０を貼り付ける必要がある。よって、製造メーカＭ１においては封印シール３３０のみを出荷する必要がある。かかる封印シール３３０の出荷に際しては、封印シール再発行データとして管理データに登録され記憶保持される。板替えデータや基板替えデータと同様に、この封印シール再発行データを用いて基準データが更新される。
【０２６７】
以上説明した管理データを用いてデータサーバ７０１のＣＰＵではパチンコ機管理処理が実行される。そこで、以下に図３８に示すフローチャートを用いてメーカ側のパチンコ機管理処理を説明する。なお、当該パチンコ機管理処理は、管理実行状態下で繰り返し実行される。
【０２６８】
図３８において、先ずステップＳ２０１では、管理コンピュータ６０２から認証用情報を受信したか否かを判定する。認証用情報を受信していない場合には、そのまま本処理を終了する。認証用情報を受信している場合には、ステップＳ２０２〜ステップＳ２０５のモード判定処理を行う。モード判定処理では、受信した認証用情報に反映されたモードの情報を解析し、その解析した情報に基づいて今回認証を行うモードの判定を行う。そして、新台入替モードの場合にはステップＳ２０２にて肯定判定をし、板替えモードの場合にはステップＳ２０３にて肯定判定をし、基板替えモードの場合にはステップＳ２０４にて肯定判定をし、中古替えモードの場合にはステップＳ２０５にて肯定判定をし、チェックモードの場合にはステップＳ２０２〜ステップＳ２０５の全てで否定判定をする。
【０２６９】
その後、ステップＳ２０６〜ステップＳ２１０の認証処理において、管理コンピュータ６０２から受信した認証用情報の認証を行う。この場合、新台入替モードの場合にはステップＳ２０６にて新台入替モード用認証処理を行い、板替えモードの場合にはステップＳ２０７にて板替えモード用認証処理を行い、基板替えモードの場合にはステップＳ２０８にて基板替えモード用認証処理を行い、中古替えモードの場合にはステップＳ２０９にて中古替えモード用認証処理を行い、チェックモードの場合にはチェックモード用認証処理を行う。そして、何れかの認証処理を行った後は、ステップＳ２１１にて認証結果情報を遊技ホールＨの管理コンピュータ６０２に送信し、パチンコ機管理処理を終了する。
【０２７０】
次に、各認証処理について図３９及び図４０のフローチャートを用いて説明する。図３９（ａ）は新台入替モード用認証処理を示すフローチャートであり、図３９（ｂ）は板替えモード用認証処理を示すフローチャートであり、図４０（ａ）は基板替えモード用認証処理を示すフローチャートであり、図４０（ｂ）は中古替えモード用認証処理を示すフローチャートである。
【０２７１】
新台入替モード用認証処理について説明する。新台入替モード用認証処理では、ステップＳ３０１にてＲＯＭから今回の認証に対応した管理データを読み出す。詳細には、先ず受信したＩＤ情報に反映された遊技ホール情報を解析し、その解析した情報に基づいて今回の新台入替の対象となっている遊技ホールＨを特定する。そして、当該遊技ホールＨにおいて認証が完了していない基準データを読み出す。
【０２７２】
その後、ステップＳ３０２では、台数認証処理を行う。台数認証処理では、受信したＩＤ情報におけるリスト番号の数と、ステップＳ３０１にて読み出した基準データにおける所定のＩＤ情報（例えば、上記（１）のＩＤ情報）の数とを比較する。その結果、数が一致する場合には、搬送途中においてパチンコ機１０が消失していないので、そのままステップＳ３０３に進む。一方、数が一致しない場合には、搬送途中においてパチンコ機１０が消失したことを意味する。よって、データサーバ７０１のＲＡＭに消失エラー情報を記憶した後に、ステップＳ３０３に進む。
【０２７３】
ステップＳ３０３では、ＩＤ情報認証処理を行う。ＩＤ情報認証処理では、受信した認証用情報の各ＩＤ情報と読み出した基準データの各ＩＤ情報とを比較する。この場合、受信した各ＩＤ情報及び基準データの各ＩＤ情報は、パチンコ機１０毎にまとめられているため、パチンコ機１０単位で比較が行われる。この比較を行うパチンコ機１０の特定は、パチンコ機１０の台番号（設置箇所情報）によって行われる。つまり、製造メーカＭ１には、予め遊技ホールＨから新台入替に関わるパチンコ機１０の台番号が連絡され、製造メーカＭ１ではパチンコ機１０の出荷に際して各パチンコ機１０と台番号とを対応付ける。そして、その台番号を予め基準データに登録し記憶保持させる。なお、この台番号の登録は、基準データの作成に際して行ってもよく、また作成後に登録しなおすようにしてもよい。この台番号の登録タイミングは、後述する板替えデータや基板替えデータにおいても同様である。
【０２７４】
また、製造メーカＭ１においては、出荷する各パチンコ機１０に台番号が記された札などを添えておく。遊技ホールＨでは、その札を確認することで各パチンコ機１０を島設備における対応する台番号の位置に設置する。以上により、比較を行うパチンコ機１０の特定を台番号によって行うことが可能となる。比較を行うパチンコ機１０が特定された場合には、上記（１）〜（５）のＩＤ情報を比較する。そして、このパチンコ機１０の特定と上記（１）〜（５）のＩＤ情報の比較を順次行う。なお、この際、読み出した基準データにおける認証完了の欄を、認証が完了していない旨の「×」から認証が完了した旨の「○」に更新する。
【０２７５】
但し、遊技ホールＨの管理コンピュータ６０２から送信される各ＩＤ情報に付された台番号はスキャナ装置６０１のテンキーを作業者が操作することによって行われる。よって、台番号の入力ミスが生じる場合が想定される。この場合、基準データに登録されていない台番号が存在することとなり、パチンコ機１０の特定を行うことができない。そこで、台番号が一致しないパチンコ機１０がある場合には、上記（１）〜（５）の各ＩＤ情報を比較することで、パチンコ機１０の特定を行うとともに、上記（１）〜（５）のＩＤ情報の比較も合わせて行う。
【０２７６】
ＩＤ情報認証処理にて各ＩＤ情報が全て一致する場合には、各パチンコ機１０が真正品であることを意味するため、そのままステップＳ３０４に進む。一方、ＩＤ情報が一致しない場合には、搬送途中においてパチンコ機１０が不正品に差し替えられたことを意味する。よって、データサーバ７０１のＲＡＭに不一致エラー情報を記憶した後に、ステップＳ３０４に進む。ここで、不一致エラー情報には、不一致となった箇所（例えば、上記（１）〜（５）の何れかの値）も合わせて記憶する。また、台番号のみが異なる場合はスキャナ装置６０１の操作ミスを意味するが、この場合も台番号が異なる旨の情報と合わせて不一致エラー情報を記憶する。
【０２７７】
ちなみに、遊技ホールＨにおいて一のパチンコ機１０における上記（１）〜（５）の各ＩＤ情報の読み取り順序が間違っている場合が想定される。この場合、そのパチンコ機１０に関しては少なくとも２つのＩＤ情報が基準データと一致しないこととなる。そこで、本ＩＤ情報認証処理では、一のパチンコ機１０に関して２つ以上のＩＤ情報が不一致の場合には、各ＩＤ情報の第２識別部を確認する。そして、明らかにＩＤ情報の読み取り順序が間違っている場合、すなわち、不一致のＩＤ情報を並べ替えることで全てのＩＤ情報が一致する場合には、ＲＡＭに対して読み取り順序が間違っている旨の情報と合わせて不一致エラー情報を記憶する。
【０２７８】
ステップＳ３０４では、データサーバ７０１のＲＡＭに消失エラー情報又は不一致エラー情報があるか否かを判定し、それに基づいて認証結果情報を作成する。この認証結果情報を図４１に示す。図４１（ａ）は認証結果が正常であった場合の認証結果情報を示し、図４１（ｂ）は認証結果が異常であった場合の認証結果情報を示す。
【０２７９】
図４１（ａ），（ｂ）に示すように、認証結果情報には、リスト番号、台番号、認証結果、不一致箇所、及び原因の欄が設けられている。リスト番号の欄及び台番号の欄は、管理コンピュータ６０２から受信した認証用情報（図３６（ｂ）参照）におけるリスト番号の欄及び台番号の欄と対応している。但し、消失エラー情報がある場合には、認証用情報にないリスト番号及び台番号を別途登録する。認証結果の欄には、認証結果を「○」又は「×」として登録する。つまり、上記（１）〜（５）の各ＩＤ情報が全て一致しており、且つ台番号が一致している場合には、認証結果に「○」を登録する。一方、上記何れか一つでも一致していない場合には、認証結果に「×」を登録する。また、消失エラー情報がある場合には、上記別途登録したリスト番号の認証結果に「×」を登録する。不一致箇所の欄には、不一致となったＩＤ情報又は台番号を登録する。原因の欄には、不一致箇所から想定される原因を登録する。
【０２８０】
不一致箇所の欄及び原因の欄について詳細には、図４１（ｂ）に示すように、例えば、台番号「５０２」のパチンコ機１０に関して上記（１）〜（５）の各ＩＤ情報の全てが一致しなかった場合には、不一致箇所の欄には「（１）〜（５）」と登録し、原因の欄には「パチンコ機」と登録する。この原因は、パチンコ機１０が不正品に差し替えられたことを表している。また、台番号「５０９」のパチンコ機１０に関して上記（３）〜（５）の各ＩＤ情報が一致しなかった場合には、不一致箇所の欄には「（３）〜（５）」と登録し、原因の欄には「主制御装置」と登録する。この原因は、主制御装置２７１が不正品に差し替えられたことを表している。また、台番号「５１０」のパチンコ機１０に関して上記（５）のタグＩＤ情報が一致しなかった場合には、不一致箇所の欄には「（５）」と登録し、原因の欄には「開封」と登録する。この原因は、主制御装置２７１の基板ボックス２７３が開封されたことを表している。
【０２８１】
また、図４１（ｂ）には示していないが、消失エラー情報がある場合には、不一致箇所の欄への登録は行わず、原因の欄には「消失」と登録する。また、台番号の入力ミスが想定される場合には、不一致箇所の欄には「（１）〜（５）」と登録し、原因の欄には「入力ミス」と登録する。また、読み取り順序間違いが想定される場合には、不一致箇所の欄には一致しなかったＩＤ情報の番号を登録し、原因の欄には「読み取り順序間違い」と登録する。
【０２８２】
以上のように作成された認証結果情報は、上述したメーカ側のパチンコ機管理処理におけるステップＳ２１１にて今回の認証に関わる遊技ホールＨの管理コンピュータ６０２に送信される。これにより、管理コンピュータ６０２における液晶ディスプレイ等において認証結果情報が表示される。ちなみに、当該認証結果情報において原因の欄に「入力ミス」や「読み取り順序間違い」が表示されていた場合には、当該遊技ホールＨにて再度そのパチンコ機１０の認証を行うことで、パチンコ機１０の管理を好適に行うことが可能となる。なお、この再度の認証におけるモードは、チェックモードとして扱われる。
【０２８３】
次に、板替えモード用認証処理について説明する。板替えモード用認証処理では、ステップＳ４０１にてＲＯＭから今回の認証に対応した管理データを読み出す。詳細には、先ず受信した認証用情報に反映された遊技ホール情報を解析し、その解析した情報に基づいて今回の板替えの対象となっている遊技ホールＨを特定する。そして、当該遊技ホールＨにおいて認証が完了していない板替えデータを読み出す。
【０２８４】
その後、ステップＳ４０２では、台数認証処理を行う。台数認証処理では、受信した認証用情報におけるリスト番号の数と、ステップＳ４０１にて読み出した板替えデータにおける所定のＩＤ情報の数とを比較する。その結果、数が一致する場合には、搬送途中において板替えユニットが消失していないので、そのままステップＳ４０３に進む。一方、数が一致しない場合には、搬送途中において板替えユニットが消失したことを意味する。よって、データサーバ７０１のＲＡＭに消失エラー情報を記憶した後に、ステップＳ４０３に進む。
【０２８５】
ステップＳ４０３では、ステップＳ４０１にて読み出した板替えデータを用いて基準データの更新を行う。つまり、製造メーカＭ１には、予め遊技ホールＨから板替えに関わるパチンコ機１０の台番号が連絡され、製造メーカＭ１では板替えユニットの出荷に際して各板替えユニットと台番号とを対応付ける。そして、その台番号を予め板替えデータに登録し記憶保持させる。なお、出荷する板替えユニットには台番号が記された札などが添えられ、遊技ホールＨでは到着した板替えユニットが何れの台番号のものかが特定される。
【０２８６】
以上のように板替えデータには台番号が特定されているため、基準データにおける該当する遊技ホールＨの該当する台番号のパチンコ機１０に対応した各ＩＤ情報に対して各板替えデータを更新する。この場合、板替えに際して本体枠１２は交換されない。したがって、板替えデータには上記（２）の枠ＩＤ情報は含まれておらず、板替えデータの更新においては上記（１），（３）〜（５）の各ＩＤ情報が更新される。なお、この際、読み出した板替えデータにおける認証完了の欄を、認証が完了していない旨の「×」から認証が完了した旨の「○」に更新する。
【０２８７】
ここで、上記更新に際しては、元の基準データは消去されるのではなく、管理データにおいて設定された交換済み管理データに移される。このように交換済み管理データに元の基準データを移すことで、板替えユニットが中古品として出回る場合にその出所などを特定することが可能となる。
【０２８８】
ステップＳ４０３を行った後は、ステップＳ４０４にてＩＤ情報認証処理を行う。ＩＤ情報認証処理では、受信した認証用情報の各ＩＤ情報と更新した基準データの各ＩＤ情報とを比較する。このＩＤ情報認証処理の認証方法は、上記ステップＳ３０３におけるＩＤ情報認証処理と同様である。
【０２８９】
この場合、上記（１）〜（５）の全てのＩＤ情報に対して認証が行われる。つまり、交換されていない本体枠１２に付された上記（２）の枠ＩＤ情報に対しても認証が行われる。これにより、今回出荷した板替えユニットが搬送途中で不正品に差し替えられていないか否かを認証しつつ、遊技ホールＨにおける既存の本体枠１２が不正品に差し替えられていないか否かを認証することができる。また、製造メーカＭ１に連絡することなく遊技ホールＨにおいて本体枠１２を中古品に交換している場合が想定される。この場合であっても、上記（２）の枠ＩＤ情報を、交換済み管理データ等と比較することで中古品の本体枠１２が正規品であるか否かを認証することができる。さらには、その中古品の枠ＩＤ情報を基準データに更新することで、パチンコ機１０の管理を好適に行うことができる。
【０２９０】
その後、ステップＳ４０５では、認証結果情報を作成する。この認証結果情報の作成は、上記ステップＳ３０４における認証結果情報の作成と同様である。そして、作成した認証結果情報は、上述したメーカ側のパチンコ機管理処理におけるステップＳ２１１にて今回の認証に関わる遊技ホールＨの管理コンピュータ６０２に送信される。
【０２９１】
次に、基板替えモード用認証処理について説明する。基板替えモード用認証処理では、ステップＳ５０１にてＲＯＭから今回の認証に対応した管理データを読み出す。詳細には、先ず受信した認証用情報に反映された遊技ホール情報を解析し、その解析した情報に基づいて今回の基板替えの対象となっている遊技ホールＨを特定する。そして、当該遊技ホールＨにおいて認証が完了していない基板替えデータを読み出す。
【０２９２】
その後、ステップＳ５０２では、ステップＳ５０１にて読み出した基板替えデータを用いて基準データの更新を行う。つまり、製造メーカＭ１には、予め遊技ホールＨから基板替えに関わるパチンコ機１０の台番号が連絡され、製造メーカＭ１では主制御装置２７１の出荷に際して当該主制御装置２７１と台番号とを対応付ける。そして、その台番号を予め基板替えデータに登録し記憶保持させる。なお、出荷する主制御装置２７１には台番号が記された札などが添えられ、遊技ホールＨでは到着した主制御装置２７１が何れの台番号のものかが特定される。
【０２９３】
以上のように基板替えデータは台番号が特定されているため、基準データにおける該当する遊技ホールＨの該当する台番号のパチンコ機１０に対応した各ＩＤ情報に対して基板替えデータを更新する。この場合、基板替えに際して本体枠１２及び遊技盤３０は交換されない。したがって、基板替えデータには上記（１），（２）のＩＤ情報は含まれておらず、基板替えデータの更新においては上記（３）〜（５）のＩＤ情報が更新される。なお、この際、読み出した基板替えデータにおける認証完了の欄を、認証が完了していない旨の「×」から認証が完了した旨の「○」に更新する。
【０２９４】
ここで、上記更新に際しては、元の基準データは消去されるのではなく、管理データにおいて設定された異常用データに移される。このように異常用データに元の基準データを移すことで、不正が行われた主制御装置２７１に付されていた上記（３）〜（５）の各ＩＤ情報を異常用データとして管理することができる。つまり、不正が行われた主制御装置２７１に付されていた上記（３）〜（５）の各ＩＤ情報は、不正品の主制御装置に付される可能性がある。したがって、これら各ＩＤ情報を異常用データとして管理することで、不正品の主制御装置を発見し易くなる。ちなみに、各認証処理において、遊技ホールＨから受信した認証用情報の各種ＩＤ情報を最初に異常用データと比較することで、比較するパチンコ機１０の特定等を行う前の段階で主制御装置２７１の差し替えが行われたか否かを判定することが可能となる。
【０２９５】
ステップＳ５０３を行った後は、ステップＳ５０４にてＩＤ情報認証処理を行う。ＩＤ情報認証処理では、受信した認証用情報の各ＩＤ情報と更新した基準データの各ＩＤ情報とを比較する。このＩＤ情報認証処理の認証方法は、上記ステップＳ３０３におけるＩＤ情報認証処理と同様である。
【０２９６】
この場合、上記（１）〜（５）の全てのＩＤ情報に対して認証が行われる。つまり、交換されていない遊技盤３０に付された上記（１）の遊技盤ＩＤ情報、及び本体枠１２に付された上記（２）の枠ＩＤ情報に対しても認証が行われる。これにより、今回出荷した主制御装置２７１が搬送途中で不正品に差し替えられていないか否かを認証しつつ、遊技ホールＨにおける既存の遊技盤３０及び本体枠１２が不正品に差し替えられていないか否かを認証することができる。また、製造メーカＭ１に連絡することなく遊技ホールＨにおいて遊技盤３０や本体枠１２を中古品に交換している場合が想定される。この場合であっても、上記（１）の遊技盤ＩＤ情報、及び上記（２）の枠ＩＤ情報を、交換済み管理データ等と比較することで、中古品の遊技盤３０や本体枠１２が正規品であるか否かを認証することができる。さらには、その中古品の遊技盤ＩＤ情報や枠ＩＤ情報を基準データに更新することで、パチンコ機１０の管理を好適に行うことができる。
【０２９７】
その後、ステップＳ５０４では、認証結果情報を作成する。この認証結果情報の作成は、上記ステップＳ３０４における認証結果情報の作成と同様である。そして、作成した認証結果情報は、上述したメーカ側のパチンコ機管理処理におけるステップＳ２１１にて今回の認証に関わる遊技ホールＨの管理コンピュータ６０２に送信する。
【０２９８】
次に、中古替えモード用認証処理について説明する。中古替えモード用認証処理では、ステップＳ６０１にてＲＯＭから全管理データを読み出す。この管理データには、基準データだけでなく、上述した交換済み管理データや異常用データも含まれる。
【０２９９】
その後、ステップＳ６０２では、認証用情報の各種ＩＤ情報のうち中古品に関わるＩＤ情報の出所認証処理を行う。詳細には、受信した認証用情報の各種ＩＤ情報と、その認証用情報から特定される遊技ホールＨにおける台番号の基準データの各種ＩＤ情報とを比較する。その比較の結果、一致しないＩＤ情報に対応したものを中古品として認定する。例えば、上記（１），（３）〜（５）のＩＤ情報が一致しない場合には前記板替えユニットが中古品であると認定し、上記（２）の枠ＩＤ情報が一致しない場合には本体枠１２が中古品であると認定し、上記（１）〜（５）のＩＤ情報が一致しない場合にはパチンコ機１０が中古品である認定する。なお、パチンコ機１０が中古品であると認定されるパターンとしては、遊技ホールＨにおいてパチンコ機１０単位で中古品を購入した場合や、本体枠１２の中古品と前記板替えユニットの中古品とを別々に購入した場合が考えられる。そして、中古品として認定したものに対応したＩＤ情報が管理データの何れか（異常用データを除く）に記憶されているか否かを調べる。その結果、管理データの何れかにある場合には、その中古品は正規品であるため、そのデータを基準データに対して更新する。この際、元のデータは消去することなく交換済み管理データなどに移す。一方、管理データの何れにもない場合には、その中古品は不正品であるため、データサーバ７０１のＲＡＭに不一致エラー情報を記憶する。
【０３００】
その後、ステップＳ６０３では、認証結果情報を作成する。この認証結果情報の作成は、上記ステップＳ３０４における認証結果情報の作成と同様である。そして、作成した認証結果情報は、上述したメーカ側のパチンコ機管理処理におけるステップＳ２１１にて今回の認証に関わる遊技ホールＨの管理コンピュータ６０２に送信する。
【０３０１】
次に、チェックモード用認証処理について簡単に説明する。チェックモード用認証処理では、上述した各種認証処理と同様に先ず今回のチェックに関わる基準データを読み出す。その後、台番号により比較を行うパチンコ機１０を特定し、その特定したパチンコ機１０について各ＩＤ情報の比較を行う。そして、その比較の結果を認証結果情報として作成し、上述したメーカ側のパチンコ機管理処理におけるステップＳ２１１にて今回の認証に関わる遊技ホールＨの管理コンピュータ６０２に送信する。
【０３０２】
以上詳述した本実施の形態によれば、以下の優れた効果を奏する。
【０３０３】
本実施の形態では、上記第１の実施の形態と同様に、パチンコ機１０の管理システムとして、パチンコ機１０、前記板替えユニット、及び主制御装置２７１（以下、これらを出荷対象品ともいう）の遊技ホールＨへの出荷前に、上記（１）〜（５）の各種ＩＤ情報を付与してそのＩＤ情報の管理データを作成しておき、出荷対象品の出荷後において、スキャナ装置６０１により読み取った各種ＩＤ情報と、前記管理データとに基づいてパチンコ機１０の管理を実施するようにした。パチンコ機１０の出荷後（ホール納品後）を考えると、その搬送途中や、遊技ホール等の非営業時間帯（夜間、休日など）においてパチンコ機１０に対して主制御装置２７１を不正品に交換するなどの不正行為が行われる可能性がある。この場合、近年の不正行為の高度化に伴い、外観上は何ら変化のない状態で不正行為が行われる（真正品同様、札片も取り付けられた状態とされることが考えられる）。この点本管理システムによれば、出荷前に作成された各種ＩＤ情報の管理データとの比較により真正品の判定が可能となる。したがって、外観上は何ら変化のない状態であっても、真正品か不正品かの判定を正しく行うことができる。その結果、遊技ホールＨにおいて信頼性の高いパチンコ機管理を実施することができる。
【０３０４】
スキャナ装置６０１にＲＡＭ６０１ｅを設け、読み取った各種ＩＤ情報をＲＡＭ６０１ｅに記憶するようにした。これにより、各種ＩＤ情報の読み取りに際しては、複数のパチンコ機１０から連続して各種ＩＤ情報を読み取った後に、その読み取った情報を一括して遊技ホールＨの管理コンピュータ６０２に出力することが可能となる。よって、各種ＩＤ情報の読み取り作業の作業性を向上させることができる。
【０３０５】
スキャナ装置６０１により読み取られる各種ＩＤ情報を、複数の識別部（第１識別部、第２識別部、第３識別部）から構成した。特に、本実施の形態では、所定の識別部（第１識別部）に製造メーカを特定するための情報を付与した。これにより、遊技ホールＨの管理コンピュータ６０２において、その所定の識別部を参照することで、収集したＩＤ情報を製造メーカ毎に分類することができる。よって、認証用情報の作成に際して、製造メーカ毎の認証用情報の作成を容易に行うことができる。
【０３０６】
管理コンピュータ６０２におけるパチンコ機管理処理（図３５）にて、分類処理を行うようにした。そして、当該分類処理では、パチンコ機単位で各種ＩＤ情報をまとめるようにした。これにより、各製造メーカＭのデータサーバ７０１にて行われるＩＤ情報認証処理では、パチンコ機単位で各種ＩＤ情報の認証を行うことができ、その後の認証結果作成を円滑に行うことができる。
【０３０７】
遊技ホールＨの管理コンピュータ６０２では、認証用情報を各パチンコ機１０の台番号（設置箇所情報）と対応づけて作成するようにした。また、製造メーカＭのデータサーバ７０１では、基準データの各種ＩＤ情報を対応するパチンコ機１０の台番号と対応づけて登録するようにした。これにより、データサーバ７０１における各種ＩＤ情報の認証に際して、認証用情報の各種ＩＤ情報に対応した基準データ等の特定が正しく行われ、各種ＩＤ情報の認証を正しく行うことができる。また、その後の認証結果作成を円滑に行うことができる。
【０３０８】
ＩＤ情報の認証処理について複数の認証モード（新台入替モード、板替えモード、基板替えモード、中古替えモード、チェックモード）を設けた。これにより、様々なパターンに応じた認証を行うことができ、パチンコ機１０の管理を好適に行うことができる。この場合に、遊技ホールＨの管理コンピュータ６０２においては、認証用情報に今回の認証モードの情報を反映させてデータサーバ７０１に送信するようにした。これにより、データサーバ７０１においては、認証用情報を解析することで、どの認証モードでＩＤ情報の認証を行うかを特定することができる。
【０３０９】
データサーバ７０１に記憶された管理データには、板替えや基板替えが行われた場合に各種ＩＤ情報が登録される板替えデータ及び基板替えデータを設定した。板替えや基板替えが行われると初期登録時の基準データだけでは各種ＩＤ情報に不整合が生じてしまう。これに対して、板替えデータ及び基板替えデータを設定することで、上記のような不整合が生じることはない。
【０３１０】
また、板替えデータ及び基板替えデータを基準データとは別に設定することで、製造メーカＭにおいては、前記板替えユニットや主制御装置２７１を出荷する際に、出荷の対象となるデータを検索し書き換える必要はなく、更新用データを別途作成するだけでよい。よって、製造メーカＭにおける出荷時の作業性を向上させることができる。
【０３１１】
また、板替えデータ及び基板替えデータにより基準データを更新するようにした。これにより、各種ＩＤ情報の管理を複数のデータで別々に行う必要はなく、かかる管理を基準データとして一括して行うことが可能となる。よって、板替えデータ及び基板替えデータを設定した構成において、データの管理が煩雑となることが抑制される。
【０３１２】
また、板替えデータ及び基板替えデータを、板替えモード用認証処理（図３９（ｂ））や基板替えモード用認証処理（図４０（ａ））において自動的に基準データに更新するようにした。これにより、製造メーカＭにおいては社員などが更新用の作業を行う必要はない。
【０３１３】
管理データに異常用データを設定し、基板替えが行われた場合にはその基板替えの対象となるパチンコ機１０における元の基準データを異常用データに移すようにした。これにより、各認証処理において、遊技ホールＨから受信した認証用情報の各種ＩＤ情報を先ず異常用データと比較することで、比較するパチンコ機１０の特定等を行う前の段階で主制御装置２７１の差し替えが行われたか否かを判定することが可能となる。
【０３１４】
板替えモード用認証処理や基板替えモード用認証処理において交換に関わらないＩＤ情報の認証も併せて行うようにした。つまり、板替えモード用認証処理であっても、交換に関わらない本体枠１２に付された枠ＩＤ情報の認証も併せて行うようにした。これにより、パチンコ機１０の管理を好適に行うことができる。
【０３１５】
認証結果情報には、認証結果の正否だけでなく、比較の結果、ＩＤ情報が一致しなかった不一致箇所、及びその考えられる原因も登録するようにした。これにより、遊技ホールＨにおいて認証用情報の認証結果を詳細に知ることができ、その後の対応を適切に行うことができる。つまり、スキャナ装置６０１における台番号の入力ミスや各種ＩＤ情報の読み取り順序間違いが不一致の原因であると知ることができれば、再度、各種ＩＤ情報を読み取り認証用情報を製造メーカＭに送信することができる。この場合、各種ＩＤ情報の認証を正確に行うことができる。
【０３１６】
［他の実施の形態］
上述した実施の形態の記載内容に限定されず、例えば次のように実施してもよい。
【０３１７】
・上記各実施の形態は、遊技ホールＨ側のパチンコ機管理装置として、スキャナ装置６０１と管理コンピュータ６０２とを設けたが、この構成を変更する。例えば、上述した管理コンピュータ６０２の管理処理機能をスキャナ装置６０１に付加する構成としても良い。この場合、スキャナ装置６０１に通信機能を持たせ、メーカ側のデータサーバ７０１との間で双方向通信を行わせると良い。
【０３１８】
・上記図２４に示すシステム構成では、製造メーカ（Ｍ１，Ｍ２，Ｍ３…）をデータ保管機関として定め、そのメーカごとにデータサーバ７０１を設置したが、これを変更する。例えば、複数の製造メーカにより構成される遊技機管理組合をデータ保管機関として定め、その遊技機管理組合のデータサーバにより、各メーカの管理データを統括管理すると良い。つまり、データ保管機関として製造メーカではないデータ管理用の第３者機関を設け、当該第３者機関にて各メーカの管理データを統括管理すると良い。この場合、遊技ホール等で読み取られた識別情報の送信先が共通となり、システム構成の簡素化が可能となる。
【０３１９】
また、かかる構成において、上記（１）〜（５）の各種ＩＤ情報に遊技機管理組合などのデータ保管機関の情報も登録するようにしてもよい。この場合、各種ＩＤ情報の認証に際してその情報があるか否かを判定することで、簡易的にＩＤ情報の認証を行うことが可能となる。
【０３２０】
また、かかる構成においては、遊技ホールＨの管理コンピュータ６０２にて製造メーカ毎に認証用情報を分類する必要が生じない。つまり、上記第３の実施の形態における分類処理においては、第２分類処理を行う必要がない。
【０３２１】
・上記各実施の形態では、各種ＩＤ情報の管理データを製造メーカや遊技機管理組合（遊技ホール以外のデータ保管機関）で保管しておき、当該製造メーカ等において、保管した管理データに基づいてデータ照合及び認証を行ったが、これを変更する。例えば、製造メーカ等において、各種ＩＤ情報の管理データをディスク媒体等の記憶媒体に書き込み、パチンコ機１０の出荷時にその記憶媒体を同パチンコ機１０と共に遊技ホール等に納品する。この場合、遊技ホール等において、前記記憶媒体に書き込まれた管理データに基づいてデータ照合及び認証を行うことができる。
【０３２２】
・製造メーカや遊技機管理組合等のデータ保管機関から遊技ホール等に対して管理リクエスト信号を送信する一方、遊技ホール等において管理リクエスト信号に応じて各種ＩＤ情報の読み取り及び該読み取ったＩＤ情報の返信を行わせる構成としても良い。この場合、遊技ホール等の外部からの管理操作が可能となる。したがって、よりシビアなパチンコ機の管理が実現できる。
【０３２３】
・上記各実施の形態では、スキャナ装置６０１を用いてパチンコ機１０の各種ＩＤ情報を読み取らせる際、表示部６０１ｂに読み取り順序を表示する構成を説明したが、これを以下のように変更する。音声アナウンス機能を有するスキャナ装置を適用する場合において、音声により読み取り順序をアナウンスすることも可能である。例えば、各ＩＤ情報の読み取り前に、「次は、証紙ラベル５５の遊技盤ＩＤ情報を読み取って下さい」、「次は、証紙ラベル２４５の枠ＩＤ情報を読み取って下さい」、「次は、識別シール３４５の主基板ＩＤ情報を読み取って下さい」などの音声案内を行わせる。
【０３２４】
・情報読み取り装置としてのスキャナ装置は、単一の情報形態のみを読み取り可能なものであっても良い。この場合、ＱＲコード読み取り機能を有するスキャナ装置と、タグ情報読み取り機能を有するスキャナ装置とを個別に用意する。
【０３２５】
・上記各実施の形態では、ＩＣタグ３３３を有する封印シール３３０を、主制御装置２７１の基板ボックス外面に貼り付ける構成としたが、この構成を変更する。例えば、同基板ボックスの内面側に貼り付けても良い。また、基板ボックス２７３を構成する樹脂材にＩＣタグ３３３を埋設しても良い。さらに、ＩＣタグ３３３を有するシール部材を基板部材に直接貼り付けても良い。
【０３２６】
・封印シール３３０において、ＩＣチップ３３３ａから延びる長尺状のアンテナ部３３３ｂを直線状とする以外に、細かなうねりや凹凸を有する略直線状としたり、弧状としたりすることも可能である。また、封印シール３３０の形状を、菱形状、円形状（楕円状を含む）、三角状、Ｌ字状、十字状などに変更することも可能である。
【０３２７】
その他、封印シール３３０の別形態として、ベースシート３３１に形成したアンテナ用切り込み３３５、隅側切り込み３３６、外縁切り込み３３７の形状や大きさなどを変更したり、それらの少なくともいずれかを無くしたりした構成としても良い。
【０３２８】
・上記各実施の形態では、封印シール３３０に所定の溶媒が塗布されたり、所定温度以上の熱が加えられたりした場合には、ベースシート３３１が変色する構成であったが、ベースシート３３１が変質する構成としてもよい。具体的には、ベースシート３３１が溶ける構成とする。当該構成によっても、封印シール３３０に所定の溶媒が塗布され、又は封印シール３３０に所定温度以上の熱が加えられて、封印シール３３０が剥がされ、主基板２７０に対して不正行為が行われたことを容易に発見することができる。
【０３２９】
・払出制御装置３１１への不正対策として、上記実施の形態における封印シール３３０を、払出制御装置３１１を構成する基板ボックス３１５に貼り付け当該基板ボックス３１５を封印する構成としてもよい。また、払出制御装置３１１の基板ボックス３１５と当該払出制御装置３１１が搭載される取付台３０１とを跨ぐようにして封印シール３３０を貼り付ける構成としてもよい。払出制御装置３１１では遊技球の払い出しに関わる制御が行われるため、払出制御装置３１１に対して不正が行われると遊技ホールなどに多大な被害を与えるおそれがある。これに対して、上記構成のように、払出制御装置３１１に対して封印シール３３０を貼り付ける構成とすることで、払出制御装置３１１に対する不正行為を容易に発見することができ、遊技ホールなどに被害が発生することを抑制することができる。なお、主制御装置２７１や払出制御装置３１１以外に、遊技球の払い出し（特典の付与）に関わる制御を行う制御装置が設けられる構成においては、当該制御装置の基板ボックスに上記実施の形態における封印シール３３０を貼り付ける構成とするのが好ましい。
【０３３０】
・上記各実施の形態では、パチンコ機１０の裏面側において、各種制御装置を２つの制御基板ユニット（第１制御基板ユニット２０１、第２制御基板ユニット２０２）に分散して搭載したが、この構成も変更でき、制御基板ユニット（すなわち取付台）を３つ以上設ける構成としてもよい。
【０３３１】
・制御装置以外の部材を装着するための台座部材を本体枠１２や遊技盤３０に取り付ける構成としても良い。制御装置以外の部材としては、電源装置３１３、モータやソレノイド等の電気部材、遊技球通路部材などが考えられる。
【０３３２】
・上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも適用できる。
【０３３３】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも適用できる。
【０３３４】
また、取込装置を備え、貯留部に貯留されている所定数の遊技球が取込装置により取り込まれた後にスタートレバーが操作されることによりリールの回転を開始する、パチンコ機とスロットマシンとが融合された遊技機（球使用回胴遊技機）にも適用できる。
【０３３５】
・上記第２の実施の形態におけるＩＣタグ４２４に関して次のように変更してもよい。
【０３３６】
ＩＣタグ４２４のアンテナ部４２５が、ネジ孔４１１，４１２の取り外し側開口４１３，４１４を跨いでいなくてもよい。つまり、アンテナ部４２５の端部が取り外し側開口４１３，４１４におけるその幅方向の途中位置にある構成としてもよい。また、アンテナ部４２５の短手方向寸法を、ネジ孔４１１，４１２の取り外し側開口４１３，４１４の孔径よりも大きくしてもよい。また、両方のネジ４０７，４０８の頭部４０７ａ，４０８ａに対峙するようにアンテナ部４２５を配置するのではなく、一方のネジの頭部にのみ対峙するようにアンテナ部４２５を配置してもよい。
【０３３７】
以上のいずれの構成であっても、ボックスカバー４０３やボックスベース４０４等のケース体を相互に締結する締結具の頭部とアンテナ部とが対峙しているため、締結具による締結を解除するためには、封印シールにおけるアンテナ部が配置された部分を剥がす必要が生じる。そして、この場合、アンテナ部が分断されスキャナ装置によりＩＤ情報を読み取ることができなくなる。よって、主基板に対して不正が行われたことを確実に発見することができる。
【０３３８】
なお、アンテナ部を締結具と対峙させた構成の技術的思想は次のものとなる。「分離可能な複数のケース体（ボックスベース４０４、ボックスカバー４０３）と、これら複数のケース体により形成される内部空間内に収容される制御基板（主基板４０２）とを有する制御基板装置（主制御装置４０１）を備え、前記ケース体間の境界を跨ぐようにしてシール（封印シール４２１）を貼り付けた遊技機において、前記シールが貼り付けられるケース体を相互に締結する締結具（ネジ４０７，４０８）を設けるとともに、当該締結具の少なくとも一部を覆うようにして前記シールを貼り付け、当該シールは、背面側に粘着剤層（粘着剤層４２３）が設けられ、シールを剥がす力に伴う応力によって一部が破壊される程度の脆性を有する略四角形状のベース部材（ベースシート４２２）と、ベース部材の背面側に設けられ、識別情報（タグＩＤ情報）が格納されたＩＣチップ（ＩＣチップ４２７）と、同じくベース部材の背面側に設けられ、前記シールを剥がす力に伴う応力によって一部が破壊される程度の脆性を有し、前記ＩＣチップに格納された識別情報を読取体（スキャナ装置）に対して送信可能とするアンテナ（アンテナ部４２５）とを備え、当該アンテナを、その長手方向が前記ベース部材のすべての辺方向と交差し、前記ベース部材とともに前記ケース体間の境界を跨ぐように前記ベース部材の一辺側から他の一辺側に亘って延び、さらに前記締結具における前記シールに覆われる部分と対峙するようにして配置したこと。」
また、ＩＣタグ４２４のアンテナ部４２５が、各ネジ４０７，４０８の頭部４０７ａ，４０８ａと対峙していなくてもよい。かかる構成であっても、アンテナ部が金属製の締結具に対して離間されるため、不正が行われていない場合におけるスキャナ装置へのＩＤ情報の送信を確実に行うことができる。
【０３３９】
なお、アンテナ部を締結具に対して離間させた構成の技術的思想は次のものとなる。「分離可能な複数のケース体（ボックスベース４０４、ボックスカバー４０３）と、これら複数のケース体により形成される内部空間内に収容される制御基板（主基板４０２）とを有する制御基板装置（主制御装置４０１）を備え、前記ケース体間の境界を跨ぐようにしてシール（封印シール４２１）を貼り付けた遊技機において、前記シールが貼り付けられるケース体を相互に締結する金属製の締結具（ネジ４０７，４０８）を設けるとともに、当該締結具の少なくとも一部を覆うようにして前記シールを貼り付け、当該シールは、背面側に粘着剤層（粘着剤層４２３）が設けられ、シールを剥がす力に伴う応力によって一部が破壊される程度の脆性を有する略四角形状のベース部材（ベースシート４２２）と、ベース部材の背面側に設けられ、識別情報（ＩＤ情報）が格納されたＩＣチップ（ＩＣチップ４２７）と、同じくベース部材の背面側に設けられ、前記シールを剥がす力に伴う応力によって一部が破壊される程度の脆性を有し、前記ＩＣチップに格納された識別情報を読取体（スキャナ装置）に対して送信可能とするアンテナ（アンテナ部４２５）とを備え、当該アンテナを、その長手方向が前記ベース部材のすべての辺方向と交差し、且つ前記ベース部材と共に前記ケース体間の境界を跨ぐように前記ベース部材の一辺側から他の一辺側に亘って延びるようにして配置し、さらに前記締結具に対して離間させて配置したこと。」
また、ＩＣタグ４２４のアンテナ部４２５が、各ネジ４０７，４０８の頭部４０７ａ，４０８ａと対峙していない構成であっても、第１ネジ４０７をパチンコ機１０後方を向く第１貼付面４０５ａ側から螺着するようにしたのに対して、第２ネジ４０８をパチンコ機１０前方を向く第２貼付面４０６ａ側から螺着するようにした。そして、これら各ネジ４０７，４０８の頭部４０７ａ，４０８ａを覆うようにして封印シール４２１を貼り付けるとともに、アンテナ部４２５をその両端部４２６ａ，４２６ｂがそれぞれ第１貼付面４０５ａ及び第２貼付面４０６ａに位置するようにして配置するのが好ましい。これにより、不正に各ネジ４０７，４０８の締結を解除する作業を煩雑なものとすることができ、さらにはかかる不正な解除作業に際してベースシート４２２の破壊、及びアンテナ部４２５の分断が生じる機会を多く設けることができる。第１ネジ４０７の頭部４０７ａ又は第２ネジ４０８の頭部４０８ａのいずれか一方を露出させることができたとしても、他方を露出させる必要があるからである。
【０３４０】
なお、締結具の取り付け方向に関する構成の技術的思想は次のものとなる。「分離可能な複数のケース体（ボックスカバー４０３、ボックスベース４０４）、及びこれらケース体により形成される内部空間内に収容される制御基板（主基板４０２）を有する制御基板装置（主制御装置４０１）と、前記各ケース体の外周部に設けられ、相互に対向する板面を有する貼付板部（貼付板部４０５，４０６）と、前記板面に対して略直交する方向に延び、前記両貼付板部における両者の境界を跨ぐようにして形成された連通孔（ネジ孔４１１，４１２）に挿通された状態で前記両貼付板部を締結する締結具（ネジ４０７，４０８）と、前記各貼付板部の境界を跨ぐようにして、それら貼付板部に貼り付けられるシール（封印シール４２１）とを備えた遊技機において、前記締結具として、前記各貼付板部の境界に対して一方の貼付板部側への方向を取り外し方向とする第１締結具（第１ネジ４０７）と、その反対方向を取り外し方向とする第２締結具（第２ネジ４０８）とを設けるとともに、前記シールを、前記第１締結具及び前記第２締結具の両方の取り外し方向側の端部（頭部４０７ａ，４０８ａの頂上）を覆うようにして貼り付け、さらに前記シールは、背面側に粘着剤層（粘着剤層４２３）が設けられ、シールを剥がす力に伴う応力によって一部が破壊される程度の脆性を有する略四角形状のベース部材（ベースシート４２２）と、ベース部材の背面側に設けられ、識別情報（ＩＤ情報）が格納されたＩＣチップ（ＩＣチップ４２７）と、同じくベース部材の背面側に設けられ、前記シールを剥がす力に伴う応力によって一部が破壊される程度の脆性を有し、前記ＩＣチップに格納された識別情報を読取体（スキャナー）に対して送信可能とするアンテナ（アンテナ部４２５）とを備え、当該アンテナを、その長手方向が前記ベース部材のすべての辺方向と交差し、且つ前記ベース部材とともに前記両貼付板部における対応する締結具の前記取り外し方向側の面（第１貼付面４０５ａ、第２貼付面４０６ａ）に位置するように前記ベース部材の一辺側から他の一辺側に亘って延びるようにして配置したこと。」
・上記（１）〜（４）の各種ＩＤ情報をシール３４５，３４６やラベル５５，２４５に付したＱＲコードに登録したが、シール３４５，３４６やラベル５５，２４５の全てにＩＣタグを設け、そのＩＣタグに上記（１）〜（４）の各種ＩＤ情報を登録するようにしてもよい。当該構成において、スキャナ装置６０１から所定周波数の電波を出力し各種ＩＤ情報の読み取りを一括して行う場合には、各種ＩＤ情報の読み取りを正確に行うべくパチンコ機１０を島設備に取り付ける前に各種ＩＤ情報の読み取りを行うのが好ましい。
【０３４１】
・上記第３の実施の形態では、上記（１）〜（５）の各種ＩＤ情報の全てに第１識別部を設定したが、そのうちのいずれか一つに、又はそのうちの一部にのみ第１識別部を設定してもよい。また、ＱＲコードやＩＣタグに識別番号として製造メーカの情報を記憶させるのではなく、製造メーカ名として記憶させてもよい。この場合、各ＩＤ情報をスキャナ装置６０１で読み込むと、製造メーカ名（例えば、（株）××物産）がそのまま読み込まれる。そして、管理コンピュータ６０２等では、その読み込んだ製造メーカ名により、製造メーカ毎の各種ＩＤ情報の分類を行う。なお、上記（１）〜（５）の各ＩＤ情報において、一部を第１識別部のように識別番号で製造メーカを特定し、その他を製造メーカ名そのままの情報で製造メーカを特定するようにしてもよい。
【０３４２】
・上記第３の実施の形態では、上記（１）〜（５）の各ＩＤ情報に設定された第３識別部の番号は、単一のパチンコ機１０（新台に限る）において同一となるようにしたが、これら第３識別部の番号が単一のパチンコ機１０において異なっていてもよい。
【０３４３】
・上記第３の実施の形態では、スキャナ装置６０１のＲＡＭ６０１ｅに記憶されたＩＤ情報は、管理コンピュータ６０２に出力されることで消去される構成としたが、これを変更してもよい。例えば、スキャナ装置６０１の操作部６０１ａに全消去ボタンを設け、当該ボタンが操作されない限りＲＡＭ６０１ｅに記憶されたＩＤ情報が消去されないようにしてもよい。また、スキャナ装置６０１の電源がＯＦＦ状態となったとしても、ＲＡＭ６０１ｅに記憶されたＩＤ情報が消去されないようにしてもよい。この場合、スキャナ装置６０１にデータ記憶保持用電源手段（例えば、データ記憶保持用コンデンサ）を設けることで、ＲＡＭ６０１ｅに記憶されたＩＤ情報を保持させることができる。また、スキャナ装置６０１にＥＥＰＲＯＭを設け、そこに読み込んだＩＤ情報を記憶させるようにしてもよい。
【０３４４】
・上記（１）〜（５）の各種ＩＤ情報が読み取られる場合に、読み取り順序に間違いが生じた場合には、スキャナ装置６０１にてそれを認識し、読み取り順序の指定を修正するようにしてもよい。例えば、スキャナ装置６０１に、各種ＩＤ情報に設定された第２識別部の情報を判定する情報判定機能と、当該判定機能の判定結果に基づいて読み取り順序の正否を判定する正否判定機能と、当該正否判定機能の判定結果に基づいて読み取り順序の指定を修正する修正機能とを設ける。
【０３４５】
・上記第３の実施の形態において、管理コンピュータ６０２にて上記（１）〜（５）の各種ＩＤ情報に設定された第２識別部の情報を判定し、管理コンピュータ６０２において認証用情報を作成する際に、パチンコ機１０毎の各種ＩＤ情報を上記（１）〜（５）の順序で並べて分類するようにしてもよい。この場合、スキャナ装置６０１による読み取り順序が間違っていたとしても、製造メーカＭのデータサーバ７０１に認証用情報が送信される際にはそれが修正されることとなるため、データサーバ７０１における認証用情報の認証処理にとって好都合なものとなる。
【０３４６】
また、上記のように管理コンピュータ６０２にて第２識別部の情報を判定するようにすることで、第２識別部が設定されていないＩＤ情報や、あるはずのない番号が第２識別部に付されているＩＤ情報を認識した場合には、不正品への差し替えが行われたことを遊技ホールＨにて把握することができる。この場合、管理コンピュータ６０２にてエラー表示などを行うようにすることで、不正品の差し替えに対して迅速に対応することが可能となる。
【０３４７】
・上記第３の実施の形態において、管理コンピュータ６０２からデータサーバ７０１に認証用情報を送信する場合、認証用情報にその送信の日時の情報を反映させて送信するようにしてもよい。これにより、製造メーカＭにとっては、遊技ホールＨにて中古品への交換が行われた日時を把握することができ、パチンコ機１０の管理において好都合なものとなる。
【０３４８】
・上記第３の実施の形態では、管理データにおける基板替えデータにおいても遊技ホールＨの情報を登録するようにしたが、基板替えデータにおいては遊技ホールＨの情報を登録しないようにしてもよい。この場合であっても、基板替えデータには、出荷した主制御装置２７１に付された上記（３）〜（５）の各種ＩＤ情報が登録されるため、それら各種ＩＤ情報の認証を行うことで遊技ホールＨに納品された主制御装置２７１が正規品か不正品かの判定を行うことができる。
【０３４９】
・製造メーカＭのデータサーバ７０１において上記（１）〜（５）の各種ＩＤ情報の認証を行った結果、スキャナ装置６０１によるＩＤ情報の読み取り順序が間違っていると判定された場合には、不一致エラーとしないようにしてもよい。つまり、ＩＤ情報の読み取り順序間違いのみがあった場合には、その認証を異常として扱うのではなく正常として扱う。
【０３５０】
・新台時や板替え時などにおいて納品されたパチンコ機１０などの上記（１）〜（５）の各種ＩＤ情報が全て正常であると判定された後は、定期又は不定期の各種ＩＤ情報のチェックを遊技ホールＨにて単独で行うようにしてもよい。但し、この場合、遊技ホールＨにおいて各種ＩＤ情報の管理用データを作成して保管する必要がある。
【０３５１】
・一の遊技ホールＨにおいてスキャナ装置６０１を複数台設けてもよい。この場合、遊技ホールＨにおいて各パチンコ機１０における上記（１）〜（５）の各ＩＤ情報の読み取りを素早く行うことが可能となる。但し、本構成においては、スキャナ装置６０１の読み取りが同時に複数箇所で行われるため、管理コンピュータ６０２において各スキャナ装置６０１から読み取ったＩＤ情報が収集された状況では、複数の製造メーカＭにおけるＩＤ情報が不規則に並ぶおそれがある。この場合、上記第３の実施の形態によれば、各ＩＤ情報には第１識別部が設定されており、製造メーカＭの分類を容易に行うことができる。
【０３５２】
・上記第３の実施の形態では、遊技ホールＨの管理コンピュータ６０２において認証のモードを選択するようにしたが、このモードの選択をスキャナ装置６０１において行う構成としてもよい。この場合、スキャナ装置６０１において、読み込んだＩＤ情報に対してモード識別用の識別部を付加することで、管理コンピュータ６０２やデータサーバ７０１においてモードの判定を容易に行うことができる。
【０３５３】
・上記第３の実施の形態では、分類処理にて製造メーカ毎に各ＩＤ情報を分類したが、この分類をパチンコ機１０の機種毎に行ってもよく、また同一機種における型式毎に行ってもよい。この場合、各ＩＤ情報に第１識別部のような機種用又は型式用の識別部を設定しておくことで、機種毎の分類や型式毎の分類を容易に行うことができる。
【０３５４】
・上記第３の実施の形態では、遊技ホールＨから製造メーカＭに送信される認証用情報、及び製造メーカＭから遊技ホールＨに送信される認証結果情報にリスト番号を付したが、当該リスト番号を設けずに台番号をリスト番号として使用してもよい。また、上記（１）〜（５）の各ＩＤ情報における所定のＩＤ情報（例えば、上記（５）のタグＩＤ情報）をリスト番号として使用してもよい。これらの場合、認証用情報及び認証結果情報に含まれる情報量の削減を図ることが可能となる。
【０３５５】
・上記第３の実施の形態では、板替えモード用認証処理や基板替えモード用認証処理において交換に関わる板替えユニットや主制御装置２７１に付された各ＩＤ情報だけでなく交換に関わらない本体枠１２や遊技盤３０に付された各ＩＤ情報の認証を行う構成としたが、交換に関わる各ＩＤ情報だけの認証を行う構成としてもよい。例えば、板替えモード用認証処理においては、上記（１），（３）〜（５）の各ＩＤ情報の認証を行い、上記（２）のＩＤ情報の認証を行わない。また、基板替えモード用認証処理においては、上記（３）〜（５）の各ＩＤ情報の認証を行い、上記（１），（２）の各ＩＤ情報の認証を行わない。これらの場合であっても、出荷した板替えユニットや主制御装置２７１の認証を行うことができ、搬送途中において不正品に差し替えられていないか否かの認証を行うことができる。
【０３５６】
・上記第３の実施の形態では、板替えモード用認証処理や基板替えモード用認証処理において、交換に関わるパチンコ機１０の基準データを板替えデータや基板替えデータを用いて更新するようにしたが、更新するのではなく、基準データに変更履歴を残すようにしてもよい。そして、その変更履歴には、参照すべき板替えデータや基板替えデータの情報を登録しておく。かかる構成であっても、チェックモード用認証処理などにおいて交換履歴が反映された状態で上記（１）〜（５）の各ＩＤ情報の認証を行うことができる。
【０３５７】
・上記第３の実施の形態における認証結果情報にて、遊技ホールＨにおける認証モードの選択ミスの可能性を示唆するようにしてもよい。上記のとおり、認証モードの選択は、遊技ホールＨの管理コンピュータ６０２においてモード選択用ボタンを操作することにより行われるため、認証モードの選択ミスが発生するおそがある。そして、認証モードの選択ミスが発生すると、製造メーカＭにおいて認証用情報の認証を正確に行うことができない。例えば、板替えモードを選択しなければならないのに基板替えモードを選択した場合には、データサーバ７０１において基板替えモード用認証処理が行われ、管理データ読み出しに際して基板替えデータを読み出そうとする。しかしながら、実際には板替えモード用認証処理を行わなければならないので、管理データに対応する基板替えデータは存在しない。よって、データサーバ７０１においては認証モードの選択ミスが発生したと認識することができ、その旨を認証結果情報に登録する。このように認証結果情報にて認証モードの選択ミスの可能性を示唆することで、遊技ホールＨに対して再度の認証処理を促すことができ、パチンコ機１０の管理を好適に行うことが可能となる。
【０３５８】
なお、上記認証結果情報に細かな不一致箇所や細かな原因を登録しずに、「○」か「×」かの認証結果のみを登録するようにしてもよい。この場合であっても、遊技ホールＨにおいては認証結果を把握することができる。
【０３５９】
・上記第３の実施の形態では、データサーバ７０１におけるＩＤ情報認証処理において比較を行うパチンコ機１０の特定を台番号により行う構成としたが、これを変更してもよい。例えば、上記（１）〜（５）の所定のＩＤ情報を用いてパチンコ機１０の特定を行う構成としてもよい。
【０３６０】
・データサーバ７０１における各ＩＤ情報認証処理において上記（１）〜（５）の全てのＩＤ情報が不一致なく認証された場合には、そのパチンコ機１０、前記板替えユニット、及び主制御装置２７１に対して認証完了シールの貼付などといった認証完了履歴を残す構成としてもよい。これにより、認証が完了しているか否かを容易に把握することができる。この場合に、パチンコ機１０等を中古品として流通させるには、認証完了履歴が残されていることを条件とすることで、不正品の流通を抑制することが可能となる。
【０３６１】
・ラベルやシール等といったＩＤ情報が付された札片を本体枠１２、遊技盤３０、及び主制御装置２７１以外に取り付ける構成としてもよい。例えば、払出制御装置３１１や払出装置３５８等は遊技球の払い出しに関わる装置であるため、不正品に差し替えられえるおそれがある。また、一般入賞口３１（入賞口スイッチ２２２）、可変入賞装置３２、及び作動口３３（作動口スイッチ３３）は入賞に関わる装置であるため、不正品に差し替えられるおそれがある。これに対して、これら装置に札片を取り付けることで、不正品の差し替えを容易に発見することができる。
【０３６２】
・上記各実施の形態では、チップＩＤ情報（上記（６）のＩＤ情報）が格納されたマイコンチップ２７５を設けたが、当該チップＩＤ情報が格納されていないマイコンチップを設けてもよい。この場合、主基板２７２においてチップＩＤ情報読み取り用の端子（例えば、コネクタ）が不要となる。
【０３６３】
・遊技ホールＨにおいてパチンコ機１０や主制御装置２７１を廃棄する際には、遊技ホールＨはその廃棄するものに付された上記（１）〜（５）の各種ＩＤ情報を認証用情報として製造メーカＭに送信し、製造メーカＭでは認証用情報にある各種ＩＤ情報を基準データから削除するようにしてもよい。また、その削除する各種ＩＤ情報を上述した異常用データに登録し保管するようにしてもよい。廃棄品が不正品として使われた場合には、それを容易に特定することができる。
【０３６４】
・遊技ホールＨにおいてはパチンコ機１０の設置場所を変更することが想定される。この場合、その変更情報を製造メーカＭに送信するようにすることで、その後のパチンコ機１０の管理を好適に行うことができる。
【図面の簡単な説明】
【０３６５】
【図１】一実施の形態におけるパチンコ機を示す正面図である。
【図２】パチンコ機の主要な構成を展開又は分解して示す斜視図である。
【図３】遊技盤の構成を示す正面図である。
【図４】パチンコ機の構成を示す背面図である。
【図５】パチンコ機の背面構成を主要部品毎に分解して示す分解斜視図である。
【図６】パチンコ機裏面における第１制御基板ユニット、第２制御基板ユニット及び裏パックユニットの配置を示す模式図である。
【図７】本体枠及び遊技盤の構成を示す背面図である。
【図８】本体枠の背面構成を示す斜視図である。
【図９】遊技盤の背面構成を示す斜視図である。
【図１０】第１制御基板ユニットの構成を示す正面図である。
【図１１】第１制御基板ユニットの構成を示す斜視図である。
【図１２】第１制御基板ユニットの分解斜視図である。
【図１３】第１制御基板ユニットの背面構成を示す分解斜視図である。
【図１４】主制御装置の分解斜視図である。
【図１５】図１０におけるＡ−Ａ線付近の断面図である。
【図１６】（ａ）は封印シールの構成を示す正面図、（ｂ）は封印シールの構成を示    す背面図である。
【図１７】封印シールの構成を示す断面図である。
【図１８】第２制御基板ユニットの構成を示す正面図である。
【図１９】第２制御基板ユニットの構成を示す斜視図である。
【図２０】第２制御基板ユニットの分解斜視図である。
【図２１】裏パックユニットの構成を示す正面図である。
【図２２】裏パックユニットの分解斜視図である。
【図２３】パチンコ機の電気的構成を示すブロック図である。
【図２４】パチンコ機管理システムの概要を示す構成図である。
【図２５】遊技ホール側の管理コンピュータにより実行されるパチンコ機管理処理を示すフローチャートである。
【図２６】各メーカ側のデータサーバで実行されるパチンコ機管理処理を示すフローチャートである。
【図２７】第２の実施の形態における主制御装置を示す斜視図である。
【図２８】主制御装置の分解斜視図である。
【図２９】主制御装置に貼り付けられた封印シール周辺を拡大して示す斜視図である。
【図３０】封印シールの構成を示す背面図である。
【図３１】（ａ）は封印シール周辺を拡大して示す正面図、（ｂ）は封印シール周辺を拡大して示す側面図、（ｃ）は封印シール周辺を拡大して示す背面図である。
【図３２】図３１（ａ）のＡ―Ａ線断面図である。
【図３３】第３の実施の形態におけるＩＤ情報を説明するための説明図である。
【図３４】スキャナ装置の構成を説明するための概略図である。
【図３５】遊技ホール側の管理コンピュータにより実行されるパチンコ機管理処理を示すフローチャートである。
【図３６】認証用情報を説明するための説明図である。
【図３７】管理データを説明するための説明図である。
【図３８】各メーカ側のデータサーバで実行されるパチンコ機管理処理を示すフローチャートである。
【図３９】（ａ）は新台入替モード用認証処理を示すフローチャート、（ｂ）は板替えモード用認証処理を示すフローチャートである。
【図４０】（ａ）は基板替えモード用認証処理を示すフローチャート、（ｂ）は中古替えモード用認証処理を示すフローチャートである。
【図４１】認証結果情報を説明するための説明図である。
【符号の説明】
【０３６６】
１０…パチンコ機、１２…本体枠、３０…遊技盤、５５…証紙ラベル、２０１…第１制御基板ユニット、２０２…第２制御基板ユニット、２０３…裏パックユニット、２１４…表示制御装置、２４５…証紙ラベル、２７１…主制御装置、２７２…主基板、２７３…基板ボックス、２９１…音声ランプ制御装置、３３０…封印シール、３３３…ＩＣタグ、３３３ａ…ＩＣチップ、３３３ｂ…アンテナ部、３４５，３４６…識別シール、６０１…スキャナ装置、６０２…管理コンピュータ、７０１…データサーバ。
【図１】
2007330276.tif 000003
【図２】
2007330276.tif 000004
【図３】
2007330276.tif 000005
【図４】
2007330276.tif 000006
【図５】
2007330276.tif 000007
【図６】
2007330276.tif 000008
【図７】
2007330276.tif 000009
【図８】
2007330276.tif 000010
【図９】
2007330276.tif 000011
【図１０】
2007330276.tif 000012
【図１１】
2007330276.tif 000013
【図１２】
2007330276.tif 000014
【図１３】
2007330276.tif 000015
【図１４】
2007330276.tif 000016
【図１５】
2007330276.tif 000017
【図１６】
2007330276.tif 000018
【図１７】
2007330276.tif 000019
【図１８】
2007330276.tif 000020
【図１９】
2007330276.tif 000021
【図２０】
2007330276.tif 000022
【図２１】
2007330276.tif 000023
【図２２】
2007330276.tif 000024
【図２３】
2007330276.tif 000025
【図２４】
2007330276.tif 000026
【図２５】
2007330276.tif 000027
【図２６】
2007330276.tif 000028
【図２７】
2007330276.tif 000029
【図２８】
2007330276.tif 000030
【図２９】
2007330276.tif 000031
【図３０】
2007330276.tif 000032
【図３１】
2007330276.tif 000033
【図３２】
2007330276.tif 000034
【図３３】
2007330276.tif 000035
【図３４】
2007330276.tif 000036
【図３５】
2007330276.tif 000037
【図３６】
2007330276.tif 000038
【図３７】
2007330276.tif 000039
【図３８】
2007330276.tif 000040
【図３９】
2007330276.tif 000041
【図４０】
2007330276.tif 000042
【図４１】
2007330276.tif 000043